(57)【要約】      （修正有）【課題】呼吸管内の結露または液体の蓄積を観察可能な、製造コストの低い呼吸管を形成する構成要素を提供する。【解決手段】発泡壁３を有する管状本体２を含み、発泡壁は波形であるか波形の外形のものとされ、波形の外形は交互する外部波頂部４（または環状突出部）と内部波底部５（または環状凹部）とを含み得る。発泡壁は単一押出成形物の押し出しにより形成される。発泡壁は、使用時、管状本体内の液体（または形成されている可能性のある凝縮物）の視覚的検出を可能にするよう十分な最低限の光透過性を有するものである。【選択図】図１
2020163168.tif 000002
【特許請求の範囲】
【請求項１】
呼吸管の一部を形成する、または前記呼吸管を形成する構成要素であって、
発泡壁を有する管状本体を含み、
前記発泡壁が、使用時、前記管状本体内の液体（または形成されている可能性のある凝縮物）の視覚的検出を可能にするよう十分な最低限の光透過性を有する、構成要素。
【請求項２】
前記発泡壁を有する前記管状本体が単一押出成形物の押し出しにより形成されている、請求項１に記載の構成要素。
【請求項３】
呼吸管の一部を形成する、または前記呼吸管を形成する構成要素であって、
単一押出成形物の押し出しにより形成された発泡壁を有する管状本体を含み、
前記発泡壁が、使用時、前記管状本体内の液体（または形成されている可能性のある凝縮物）の視覚的検出を可能にするよう十分な最低限の光透過性を有する、構成要素。
【請求項４】
ヒータをさらに含む、請求項１〜３のいずれか１項に記載の構成要素。
【請求項５】
前記管状本体の前記壁が波形であるか、波形の外形のものであり、前記波形の外形が交互する外部波頂部（または環状突出部）と内部波底部（または環状凹部）とを含む、請求項１〜４のいずれか１項に記載の構成要素。
【請求項６】
前記管状本体が環状波形形状または螺旋波形形状のものである、請求項５に記載の構成要素。
【請求項７】
前記外部波頂部が前記管状本体の最大内半径および最大外半径の位置に相当し、前記内部波頂部が前記管状本体の最小内半径および最小外半径の位置に相当する、請求項５または６に記載の構成要素。
【請求項８】
前記管状本体が実質的に均一な壁厚を有する、請求項１〜７のいずれか１項に記載の構成要素。
【請求項９】
前記壁厚が約０．４ｍｍ〜約０．８ｍｍである、請求項１〜８のいずれか１項に記載の構成要素。
【請求項１０】
前記壁厚が約０．６ｍｍの厚さである、請求項１〜９のいずれか１項に記載の構成要素。
【請求項１１】
前記発泡壁が、少なくとも、前記発泡壁によって境界を定められた前記管状本体の前記内部を断熱している、請求項１〜１０のいずれか１項に記載の構成要素。
【請求項１２】
前記発泡壁が約０．２〜０．４Ｗ／ｍ．°Ｋ（ワット／メートル度ケルビン）の熱伝導率を有する、請求項１〜１１のいずれか１項に記載の構成要素。
【請求項１３】
前記発泡壁が約０．３Ｗ／ｍ−°Ｋの熱伝導率を有する、請求項１〜１２のいずれか１項に記載の構成要素。
【請求項１４】
前記発泡壁が発泡高分子材料の単一片である、請求項１〜１３のいずれか１項に記載の構成要素。
【請求項１５】
前記発泡壁が約５．５％〜約７．５％の空隙率を有する、請求項１〜１４のいずれか１項に記載の構成要素。
【請求項１６】
前記押出成形物が１種または複数種の高分子を含む、請求項１〜１５のいずれか１項に記載の構成要素。
【請求項１７】
前記押出成形物が、直鎖状低密度ポリエチレン（ＬＬＤＰＥ）、低密度ポリエチレン（ＬＤＰＥ）、ポリプロピレン（ＰＰ）、ポリオレフィンプラストマ（ＰＯＰ）、エチレン酢酸ビニル（ＥＶＡ）、可塑化ポリ塩化ビニル（ＰＶＣ）の１種または複数種またはこれら材料のブレンドを含む、請求項１〜１６のいずれか１項に記載の構成要素。
【請求項１８】
前記押出成形物が１種または複数種の化学発泡剤をさらに含む、請求項１〜１７のいずれか１項に記載の構成要素。
【請求項１９】
前記押出成形物が、酸化カルシウムを含む１種または複数種の化学発泡剤をさらに含む、請求項１〜１８のいずれか１項に記載の構成要素。
【請求項２０】
前記押出成形物が１種または複数種の表面改質剤をさらに含む、請求項１〜１９のいずれか１項に記載の構成要素。
【請求項２１】
前記押出成形物が、グリセロールモノステアレート（ＧＭＳ）エトキシル化アミン、アルカンスルホン酸ナトリウム塩、またはラウリン酸ジエタノールアミンを含む１種または複数種の表面改質剤をさらに含む、請求項１〜２０のいずれか１項に記載の構成要素。
【請求項２２】
前記押出成形物が前記押出成形物全体の少なくとも約９８．４重量パーセント（ｗｔ．％）の高分子を含む、請求項１〜２１のいずれか１項に記載の構成要素。
【請求項２３】
前記押出成形物が前記押出成形物全体の少なくとも約９９．４９ｗｔ．％または９９．４８８９ｗｔ．％の高分子（複数種可）を含む、請求項１〜２２のいずれか１項に記載の構成要素。
【請求項２４】
前記押出成形物が前記押出成形物全体の少なくとも約０．００５重量パーセント（ｗｔ．％）の化学発泡剤を含む、請求項１〜２３のいずれか１項に記載の構成要素。
【請求項２５】
前記押出成形物が前記押出成形物全体の約０．０１ｗｔ．％〜０．０１２ｗｔ．％の化学発泡剤を含む、請求項１〜２４のいずれか１項に記載の構成要素。
【請求項２６】
前記押出成形物が前記押出成形物全体の少なくとも約０．０５重量パーセント（ｗｔ．％）の表面改質剤を含む、請求項１〜２５のいずれか１項に記載の構成要素。
【請求項２７】
前記押出成形物が前記押出成形物全体の約０．２５ｗｔ．％〜０．５ｗｔ．％の表面改質剤を含む、請求項１〜２６のいずれか１項に記載の構成要素。
【請求項２８】
前記結果として形成された管状本体が約４５度（°）未満の表面特性接触角を可能にする、請求項１〜２７のいずれか１項に記載の構成要素。
【請求項２９】
ヒータが前記管状本体の壁に付属している、請求項１〜２８のいずれか１項に記載の構成要素。
【請求項３０】
前記ヒータが前記管状本体の内壁面に付属している、請求項２９に記載の構成要素。
【請求項３１】
前記ヒータが前記管状本体の外壁面に付属している、請求項２９に記載の構成要素。
【請求項３２】
前記ヒータが部分的にまたは全体的に前記管状本体の前記壁に埋設されている、請求項２９に記載の構成要素。
【請求項３３】
前記管状本体が外部シースをさらに含む、請求項１〜３２のいずれか１項に記載の構成要素。
【請求項３４】
前記外部シースが前記管状本体の外壁面に付属しているヒータを取り囲んでいる、請求項３３に記載の構成要素。
【請求項３５】
前記外部シースが、隣接する外部波頂部（または環状突出部）間に空気を外部封入しており、かつ前記管状本体の外壁面に付属しているヒータワイヤなどのヒータを拘束している、請求項３３または３４に記載の構成要素。
【請求項３６】
前記管状本体が呼吸管であり、入口にある第１のコネクタおよび出口にある第２のコネクタによって終端し、前記入口コネクタと前記出口コネクタとの間の長さに１つのガス通路のみが設けられている、請求項１〜３５のいずれか１項に記載の構成要素。
【請求項３７】
前記管状本体がガス注入システムの少なくとも一部において使用するための導管の構成要素である、請求項１〜３６のいずれか１項に記載の構成要素。
【請求項３８】
前記管状本体が呼吸回路において使用するための呼吸管の構成要素である、請求項１〜３７のいずれか１項に記載の構成要素。
【請求項３９】
前記管状本体が、ＩＳＯ５３６７：２０００（Ｅ）（第４版、２０００年６月１日）による、曲げによる流動抵抗の増加における試験を通過することにより定められた可撓性を有する、請求項１〜３８のいずれか１項に記載の構成要素。
【請求項４０】
呼吸管の一部を形成する、または前記呼吸管を形成する構成要素であって、
単一押出成形物から形成された発泡壁を有する管状本体を含み、
前記発泡壁が表面改質されている、構成要素。
【請求項４１】
前記発泡壁が化学的手段または物理的手段によって表面改質されている、請求項４０に記載の構成要素。
【請求項４２】
前記発泡壁が、前記壁表面の表面張力を変えることによって、例えば、前記壁表面の前記表面張力を増加することにより表面改質されている、請求項４０に記載の構成要素。
【請求項４３】
前記発泡壁は、使用時、前記管状本体内の液体（または形成されている可能性のある凝縮物）の視覚的検出を可能にする十分な最低限の光透過性を有するものである、請求項４０に記載の構成要素。
【請求項４４】
前記管状本体の前記壁が波形であるか、波形の外形のものであり、前記波形の外形は交互する外部波頂部（または環状突出部）と内部波底部（または環状凹部）とを含む、請求項４０に記載の構成要素。
【請求項４５】
前記管状本体が環状波形形状または螺旋波形形状のものである、請求項４４に記載の構成要素。
【請求項４６】
前記外部波頂部が前記管状本体の最大内半径および最大外半径の位置に相当し、前記内部波頂部が前記管状本体の最小内半径および最小外半径の位置に相当する、請求項４４または４５に記載の構成要素。
【請求項４７】
前記管状本体が実質的に均一な壁厚を有する、請求項４０〜４６のいずれか１項に記載の構成要素。
【請求項４８】
前記壁厚が約０．４ｍｍ〜約０．８ｍｍである、請求項４０〜４７のいずれか１項に記載の構成要素。
【請求項４９】
前記壁厚が厚さ約０．６ｍｍである、請求項４０〜４８のいずれか１項に記載の構成要素。
【請求項５０】
前記発泡壁が、少なくとも、前記発泡壁によって境界を定められた前記管状本体の前記内部を断熱している、請求項４０〜４９のいずれか１項に記載の構成要素。
【請求項５１】
前記発泡壁が約０．２〜０．４Ｗ／ｍ−°Ｋ（ワット／メートル度ケルビン）の熱伝導率を有する、請求項４０〜５０のいずれか１項に記載の構成要素。
【請求項５２】
前記発泡壁が約０．３Ｗ／ｍ−°Ｋの熱伝導抵抗を有する、請求項４０〜５１のいずれか１項に記載の構成要素。
【請求項５３】
前記発泡壁が発泡高分子材料の単一片である、請求項４０〜５２のいずれか１項に記載の構成要素。
【請求項５４】
前記発泡壁が約５．５％〜約７．５％の空隙率を有する、請求項４０〜５３のいずれか１項に記載の構成要素。
【請求項５５】
前記押出成形物が１種または複数種の高分子を含む、請求項４０〜５４のいずれか１項に記載の構成要素。
【請求項５６】
前記押出成形物が、直鎖状低密度ポリエチレン（ＬＬＤＰＥ）、低密度ポリエチレン（ＬＤＰＥ）、ポリプロピレン（ＰＰ）、ポリオレフィンプラストマ（ＰＯＰ）、エチレン酢酸ビニル（ＥＶＡ）、可塑化ポリ塩化ビニル（ＰＶＣ）の１種または複数種またはこれら材料のブレンドを含む、請求項４０〜５５のいずれか１項に記載の構成要素。
【請求項５７】
前記押出成形物が１種または複数種の化学発泡剤をさらに含む、請求項４０〜５６のいずれか１項に記載の構成要素。
【請求項５８】
前記押出成形物が、酸化カルシウムを含む１種または複数種の化学発泡剤をさらに含む、請求項４０〜５７のいずれか１項に記載の構成要素。
【請求項５９】
前記押出成形物が１種または複数種の表面改質剤をさらに含む、請求項４０〜５８のいずれか１項に記載の構成要素。
【請求項６０】
前記押出成形物が、グリセロールモノステアレート（ＧＭＳ）、エトキシル化アミン、アルカンスルホン酸ナトリウム塩またはラウリン酸ジエタノールアミンを含む１種または複数種の表面改質剤をさらに含む、請求項４０〜５９のいずれか１項に記載の構成要素。
【請求項６１】
前記押出成形物が、前記押出成形物全体の少なくとも約９８．４重量パーセント（ｗｔ．％）の高分子（１種）または高分子（複数種）を含む、請求項４０〜６０のいずれか１項に記載の構成要素。
【請求項６２】
前記押出成形物が、前記押出成形物全体の少なくとも約９９．４９ｗｔ．％または９９．４８８９ｗｔ．％の高分子（１種）または高分子（複数種）を含む、請求項４０〜６１のいずれか１項に記載の構成要素。
【請求項６３】
前記押出成形物が前記押出成形物全体の少なくとも約０．００５重量パーセント（ｗｔ．％）の化学発泡剤を含む、請求項４０〜６２のいずれか１項に記載の構成要素。
【請求項６４】
前記押出成形物が前記押出成形物全体の約０．０１ｗｔ．％〜０．０１２ｗｔ．％の化学発泡剤を含む、請求項４０〜６３のいずれか１項に記載の構成要素。
【請求項６５】
前記押出成形物が前記押出成形物全体の少なくとも約０．０５重量パーセント（ｗｔ．％）の表面改質剤を含む、請求項４０〜６４のいずれか１項に記載の構成要素。
【請求項６６】
前記押出成形物が前記押出成形物全体の約０．２５ｗｔ．％〜０．５ｗｔ．％の表面改質剤を含む、請求項４０〜６５のいずれか１項に記載の構成要素。
【請求項６７】
前記結果として形成された管状本体が約４５度（°）未満の表面特性接触角を可能にする、請求項４０〜６６のいずれか１項に記載の構成要素。
【請求項６８】
ヒータをさらに含む、請求項４０〜６７のいずれか１項に記載の構成要素。
【請求項６９】
ヒータが前記管状本体の壁に付属している、請求項４０〜６８のいずれか１項に記載の構成要素。
【請求項７０】
ヒータが前記管状本体の内壁面に付属している、請求項４０〜６９のいずれか１項に記載の構成要素。
【請求項７１】
ヒータが前記管状本体の外壁面に付属している、請求項４０〜６９のいずれか１項に記載の構成要素。
【請求項７２】
ヒータが部分的にまたは全体的に前記管状本体の前記壁に埋設されている、請求項４０〜６９のいずれか１項に記載の構成要素。
【請求項７３】
前記管状本体が外部シースをさらに含む、請求項４０〜７２のいずれか１項に記載の構成要素。
【請求項７４】
前記外部シースが前記管状本体の外壁面に付属しているヒータを取り囲んでいる、請求項７３に記載の構成要素。
【請求項７５】
前記外部シースが、隣接する外部波頂部（または環状突出部）間に空気を外部封入しており、かつ前記管状本体の外壁面に付属しているヒータワイヤなどのヒータを拘束している、請求項７３または７４に記載の構成要素。
【請求項７６】
前記管状本体が呼吸管であり、入口にある第１のコネクタおよび出口にある第２のコネクタによって終端し、前記入口コネクタと前記出口コネクタとの間の長さに１つのガス通路のみが設けられている、請求項４０〜７５のいずれか１項に記載の構成要素。
【請求項７７】
前記管状本体がガス注入システムの少なくとも一部において使用するための導管の構成要素である、請求項４０〜７６のいずれか１項に記載の構成要素。
【請求項７８】
前記管状本体が呼吸回路において使用するための呼吸管の構成要素である、請求項４０〜７７のいずれか１項に記載の構成要素。
【請求項７９】
前記管状本体が、ＩＳＯ５３６７：２０００（Ｅ）（第４版、２０００年６月１日）による、曲げによる流動抵抗の増加における試験を通過することにより定められた可撓性を有する、請求項４０〜７８のいずれか１項に記載の構成要素。
【請求項８０】
呼吸管の一部を形成する、または前記呼吸管を形成する構成要素であって、
単一押出成形物の押し出しにより形成された発泡壁を有する発泡壁を有する管状本体を含み、
前記管状本体が外部シースをさらに含む、構成要素。
【請求項８１】
呼吸管の一部を形成する、または前記呼吸管を形成する構成要素であって、
発泡壁を有する管状本体を含み、
前記発泡壁が表面改質されており、かつ前記管状本体が外部シースをさらに含む、構成要素。
【発明の詳細な説明】
【技術分野】
【０００１】
本発明は、患者におよび／または患者からガスを搬送するための医療回路の構成要素に関する。１つの特定の態様においては、本発明は、導管に関し、特に、呼吸回路の吸気および／または呼気リムにおいて使用するための呼吸管に関する。別の特定の態様においては、本発明は、外科的ガス注入システム用の管に関する。
【背景技術】
【０００２】
補助呼吸、特に、医療用途においては、高レベルの相対湿度を有するガスが、一般に、直径約１０ｍｍ〜２５ｍｍの比較的制限された寸法（新生児および成人に対する適用の両方を含む）を有する可撓性のある呼吸管を通じて供給されるとともに戻される。このような呼吸管は、理想的には非常に軽量であり、キンクまたはピンチに対する抵抗があるが、同時に、患者にとって最高の性能および最高水準の快適性を確実とするため非常に可撓性がある。呼吸管の軽量性は、管の重みによって患者インターフェースにかかるあらゆる力を低減するため非常に重要である。同様に、高水準の患者快適性を達成するため、呼吸管は可撓性を有し、かつ容易に曲げることができねばならず、これによりさらには、患者のコンプライアンスが向上し得る。
【０００３】
補助呼吸などの医療用途において、患者が吸入したガスは、好ましくは、飽和水準に近い湿度を有し、かつ体温（通常、３３℃〜３７℃の温度）に近い状態で送達される。高湿度の呼吸ガスが冷却されると、および／または比較的冷たい呼吸管の表面に接触すると、結露または水滴降下が呼吸管の内部表面に形成するおそれがある。患者から呼出された呼吸ガスは、通常、完全に飽和した状態で戻り、呼気呼吸管内を流れる。呼気ガスが呼気呼吸管を通過する際に冷やされると、結露または水滴降下も発生するおそれがある。
【０００４】
同様に、閉塞性睡眠時無呼吸症（ＯＳＡ）に罹患している患者に陽圧呼吸ガスを提供する持続的気道陽圧（ＣＰＡＰ）システムまたは陽圧人工呼吸システムにおいても、吸気（および／または呼気）ガスを送達する（または除去する）ために呼吸管を使用している。
【０００５】
呼吸管（吸気または呼気のいずれか）内に形成する凝縮物は患者により吸い込まれるか吸入されるおそれがあり、咳込みまたは他の不快につながることがある。呼吸管内の結露はまた、連結された装置および補助デバイスおよび／または種々のセンサの性能を妨げるおそれがある。
【０００６】
結露の程度を低減するか、管構成要素から凝縮液を抜くための回収場所を提供するかのいずれかによって結露の有害作用を低減する試みがなされてきた。結露または水滴降下の低減は、一般に、結露の形成を低減するため、呼吸ガスの露点温度を上回る温度に維持するか、上昇させることにより達成されている。この温度は、通常、呼吸管内のヒータワイヤによって維持されるだが、いくつかの要因のためこれら呼吸管の水滴降下性能は完全とはならない場合がある。さらに、水滴降下を低減するためにガス流を加熱する従前の方法では、通常、高額および／または製造が困難な加熱管を使用することになる。特に、例えば、病院での使用において通常見られる「使い捨て」用途において、呼吸管の製造コストは極めて重要である。水滴降下をさらに低減する一方で、好ましくは、例えば、高い製造速度が可能となる製造方法を利用することによって低い製造コストを維持することが非常に望ましい。
【０００７】
同様に、ガス注入を伴う腹腔鏡下手術時、また、ガス注入用ガス（一般にＣＯ２）は腹腔内に送られる前に加湿されることが望ましい場合がある。これにより、患者の内部臓器の「乾燥」の防止が補助され、かつ手術からの回復に必要な時間の量を減少できる。ガス注入用乾燥ガスが使用された場合であっても、ガスは患者の体腔から水分を得るため飽和し得る。ガス中の水分は医療用チューブの壁またはガス注入システムの排気リム上に凝縮する傾向にある。水蒸気は、また、フィルタなどのガス注入システムの他の構成要素上に凝縮するおそれがある。フィルタ上に凝縮するあらゆる蒸気および水分の（吸気または排気）リムに沿った流出は非常に望ましくない。例えば、壁上に凝縮した水はフィルタを飽和するおそれがあり、フィルタが閉塞する原因となる。これは、場合によっては、背圧の増加を引き起こし、システムの煙を払う能力を妨げる。さらに、リム内の液体水が他の連結された装置に流れ込むおそれがあり、これは望ましくない。
【０００８】
したがって、管構成要素内における結露または液体の急激な蓄積の可能性を低減するため向上した断熱特性を有することが可能な構成要素または管を提供すると有利であろう。
【０００９】
さらに、結露の有害作用の低減を試みるにあたり、管構成要素内におけるあらゆる結露または液体の他の蓄積を患者または彼らの介護人により観察可能とする、つまり、構成要素または管内における結露または他の液体を可視的または視覚的に検出できると有用であろう。このようにして、可視的または視覚的検出を提供すると、そのような液体結露または管の構成要素内に蓄積している可能性のある他の液体の管理において処置をとることを可能にできる。そのような結露または管構成要素内における他の液体の蓄積を可視的または視覚的に検出する能力は、また、患者へのまたは患者からのガスの通過管理、もしくは患者へのまたは患者からのガスの通過用システムの一部を形成する管構成要素を通るガスの通過管理、もしくは患者の治療のより良好な管理の点においてさらなる利点を有し得る。
【００１０】
本明細書において、特許明細書、他の外部文書または他の情報源を参照する場合、これは、一般に、本発明の特徴について論じるための背景を提供する目的のためである。特に明記しない限り、そのような外部文書の参照は、そのような文書またはそのような情報源はいずれの管轄においても先行技術であるか、当技術分野における共通の一般知識の一部を形成するという許可と解釈されるものではない。
【００１１】
本発明のさらなる態様および利点は単に例として記載される以下の説明から明らかになる。
【発明の概要】
【発明が解決しようとする課題】
【００１２】
本発明の目的は、上記を少なくとも幾分向上するか、公職従事者および医療従事者に有用な選択肢を少なくとも提供する構成要素および／または構成要素を製造する方法を提供することである。
【課題を解決するための手段】
【００１３】
第１の態様において、本発明は、発泡壁を有する管状本体を含む呼吸管の一部を形成する、または呼吸管を形成する構成要素を広く含んでもよい。
発泡壁は、使用時、管状本体内の液体（または形成されている可能性のある凝縮物）の視覚的検出を可能にするよう十分な最低限の光透過性を有するものである。
【００１４】
好ましくは、発泡壁を有する管状本体は単一押出成形物の押し出しにより形成される。
【００１５】
さらなる態様において、本発明は、単一押出成形物の押し出しにより形成される発泡壁を有する管状本体を含む呼吸管の一部を形成する、または呼吸管を形成する構成要素を広く含んでもよい。
発泡壁は、使用時、管状本体内の液体（または形成されている可能性のある凝縮物）の視覚的検出を可能にするよう十分な最低限の光透過性を有するものである。
【００１６】
好ましくは、管状本体の壁は波形であるか、波形の外形のものであり、波形の外形は交互する外部波頂部（または環状突出部）と内部波底部（または環状凹部）とを含む。好ましくは、外部波頂部は管状本体の最大内半径および最大外半径の位置に相当し、内部波頂部は管状本体の最小内半径および最小外半径の位置に相当する。
【００１７】
好ましくは、波形構造は環状波形形状のものであっても螺旋波形形状のものであってもよい。
【００１８】
代わりとして、好ましくは、管状本体は実質的に均一な壁厚を有する。
【００１９】
好ましくは、管状本体は、約０．２ｍｍ〜約１ｍｍ、または約０．３ｍｍ〜約０．９ｍｍ、または約０．４ｍｍ〜約０．８ｍｍ、または約０．５ｍｍ〜約０．７ｍｍ、または約０．３ｍｍ〜約０．６ｍｍ、または約０．４ｍｍ〜約０．７ｍｍの壁厚を有してもよい。壁は、約０．２、０．３、０．４、０．５、０．６、０．７、０．８、０．９または１ｍｍの厚さであってもよい。好ましくは、約０．４ｍｍ〜約０．８ｍｍであり、さらにより好ましくは、０．６ｍｍの厚さである。
【００２０】
好ましくは、発泡壁は、少なくとも発泡壁によって境界を定められた管状本体の内部を断熱している。好ましくは、発泡壁は約０．２５〜０．４５Ｗ／ｍ−°Ｋ（ワット／メートル度ケルビン）の熱伝導率を有する。さらにより好ましくは、発泡壁は、約０．１５〜０．３５Ｗ／ｍ−°Ｋまたは約０．２〜０．４Ｗ／ｍ−°Ｋの熱伝導率を有する。好ましくは、約０．３Ｗ／ｍ−°Ｋである。
【００２１】
好ましくは、発泡壁は発泡高分子材料の単一片である。
【００２２】
好ましくは、発泡壁は、約１０％以下、または約９％以下、または約８％以下、または約７％以下、または約６％以下または約５％以下、または約４％以下、または約３％以下、または約２％以下、または約１％以下の空隙率を有する。より好ましくは、発泡壁は、約１％、約１．５％、約２％、約２．５％、約３％、約３．５％、約４％、または約４．５％、または約５％、または約５．５％、または約６％、または約６．５％、または約７％、または約７．５％、または約８％、または約８．５％、または約９％、または約９．５％、または約１０％の空隙率を有する。最も好ましくは、約５．５％または約７．５％、または約５．５％〜約７．５％である。
【００２３】
好ましくは、押出成形物は、直鎖状低密度ポリエチレン（ＬＬＤＰＥ）、低密度ポリエチレン（ＬＤＰＥ）、ポリプロピレン（ＰＰ）、ポリオレフィンプラストマ（ＰＯＰ）、エチレン酢酸ビニル（ＥＶＡ）の１種または複数種の高分子またはこれら材料のブレンドを含む。可塑化ＰＶＣも適切な材料であろうが、環境的理由からあまり使用されていない。
【００２４】
好ましくは、押出成形物は１種または複数種の化学発泡剤を含む。より好ましくは、化学発泡剤は酸化カルシウムを含んでもよい。
【００２５】
好ましくは、押出成形物は１種または複数種の表面改質剤を含む。より好ましくは、表面改質剤は、グリセロールモノステアレート（ＧＭＳ）、エトキシル化アミン、アルカンスルホン酸ナトリウム塩、またはラウリン酸ジエタノールアミンの１種または複数種を含んでもよい。
【００２６】
好ましくは、高分子は、押出成形物全体の少なくとも約９８．４、９８．５、９８．６、９８．７、９８．８、９８．９、９９．０、９９．１、９９．２、９９．３、９９．４、９９．５、９９．６、９９．７、９９．８または９９．９重量パーセント（ｗｔ．％）含まれる。好ましくは、約９８．４ｗｔ．％含まれる。より好ましくは、高分子は押出成形物全体の約９９．４９ｗｔ．％含まれる。代わりとして、好ましくは、高分子は押出成形物全体の約９９．４８８ｗｔ．％含まれる。
【００２７】
好ましくは、化学発泡剤は、押出成形物全体の少なくとも約０．００５、０．００６、０．００７、０．００８、０．００９、０．０１、０．０１１、０．０１２、０．０１３、０．０１４、０．０１５、０．０１６、０．０１７、０．０１８、０．０１９または０．０２重量パーセント（ｗｔ．％）含まれる。好ましくは、約０．００５ｗｔ．％含まれる。より好ましくは、化学発泡剤は押出成形物全体の約０．０１ｗｔ．％含まれる。代わりとして、好ましくは、化学発泡剤は押出成形物全体の約０．０１２ｗｔ．％含まれる。または、約０．０１ｗｔ．％〜約０．０１２ｗｔ．％含まれる。
【００２８】
好ましくは、表面改質剤は押出成形物全体の少なくとも約０．０５、０．１、０．１５、０．２、０．２５、０．３、０．３５、０．４、０．４５、０．５、１．１、１．２、１．３、１．４または１．５重量パーセント（ｗｔ．％）含まれる。好ましくは、約０．０５ｗｔ．％含まれる。より好ましくは、表面改質剤は押出成形物全体の約０．２５ｗｔ．％含まれる。代わりとして、好ましくは、表面改質剤は押出成形物全体の約０．５ｗｔ．％含まれる。代わりとして、好ましくは、押出成形物全体の約０．２５ｗｔ．％〜約０．５ｗｔ．％含まれる。
【００２９】
好ましくは、結果として形成された管状本体の壁は、ジェニオメータなどの角度測定デバイスによって測定可能な約５０、４５、４０、３５、３０、２５、２０度（°）未満の表面特性接触角を可能にする。好ましくは、４５°である。より好ましくは、結果として形成された管状本体の壁は約３３°の表面特性接触角を可能にする。
【００３０】
好ましくは、構成要素はヒータをさらに含む。好ましくは、ヒータは管状本体の壁に付属している。好ましくは、ヒータは管状本体の内壁面に付属している。好ましくは、ヒータは管状本体の外壁面に付属している。好ましくは、ヒータは部分的にまたは全体的に管状本体の壁に埋設されている。
【００３１】
好ましくは、管状本体は外部シースをさらに含む。好ましくは、外部シースは管状本体の外壁面に付属しているヒータを取り囲んでいる。好ましくは、外部シースは隣接する外部波頂部（または環状突出部）間に空気を封入してもよく、かつ管状本体の外壁面に付属しているヒータワイヤなどのヒータを拘束している。
【００３２】
好ましくは、管状本体は呼吸管であり、入口にある第１のコネクタおよび出口にある第２のコネクタによって終端し、入口コネクタと出口コネクタとの間の長さに１つのガス通路のみが設けられる。
【００３３】
好ましくは、管状本体はガス注入システムの少なくとも一部において使用するための導管の構成要素である。好ましくは、管状本体は呼吸回路において使用するための呼吸管の構成要素である。
【００３４】
好ましくは、管状本体は、ＩＳＯ５３６７：２０００（Ｅ）（第４版、２０００年６月１日）による、曲げによる流動抵抗の増加における試験を通過することにより定められた可撓性を有する。
【００３５】
さらなる態様において、本発明は、
単一押出成形物から形成された発泡壁を有する管状本体と、
管状本体内にあるヒータと、を含む、呼吸管の一部を形成する、または呼吸管を形成する構成要素を広く含んでもよい。
発泡壁は、使用時、管状本体内の液体（または形成されている可能性のある凝縮物）の視覚的検出を可能にする十分な最低限の光透過性を有するものである。
【００３６】
好ましくは、管状本体の壁は波形であるか、波形の外形のものであり、波形の外形は交互する外部波頂部（または環状突出部）と内部波底部（または環状凹部）とを含む。好ましくは、外部波頂部は管状本体の最大内半径および最大外半径の位置に相当し、内部波頂部は管状本体の最小内半径および最小外半径の位置に相当する。
【００３７】
好ましくは、波形構造は環状波形形状のものであっても螺旋波形形状のものであってもよい。
【００３８】
代わりとして、好ましくは、管状本体は実質的に均一な壁厚を有する。
【００３９】
好ましくは、管状本体は、約０．２ｍｍ〜約１ｍｍ、または約０．３ｍｍ〜約０．９ｍｍ、または約０．４ｍｍ〜約０．８ｍｍ、または約０．５ｍｍ〜約０．７ｍｍ、または約０．３ｍｍ〜約０．６ｍｍ、または約０．４ｍｍ〜約０．７ｍｍの壁厚を有してもよい。壁は、約０．２、０．３、０．４、０．５、０．６、０．７、０．８、０．９または１ｍｍの厚さであってもよい。好ましくは、約０．４ｍｍ〜約０．８ｍｍまたは０．６ｍｍの厚さである。
【００４０】
好ましくは、発泡壁は、少なくとも発泡壁によって境界を定められた管状本体の内部を断熱している。好ましくは、発泡壁は約０．２５〜０．４５Ｗ／ｍ−°Ｋ（ワット／メートル度ケルビン）の熱伝導率を有する。さらにより好ましくは、発泡壁は、約０．１５〜０．３５Ｗ／ｍ−°Ｋまたは約０．２〜０．４Ｗ／ｍ−°Ｋの熱伝導率を有する。好ましくは、約０．３Ｗ／ｍ−°Ｋである。
【００４１】
好ましくは、発泡壁は発泡高分子材料の単一片である。
【００４２】
好ましくは、発泡壁は、約１０％以下、または約９％以下、または約８％以下、または約７％以下、または約６％以下または約５％以下、または約４％以下、または約３％以下、または約２％以下、または約１％以下の空隙率を有する。より好ましくは、発泡壁は、約１％、約１．５％、約２％、約２．５％、約３％、約３．５％、約４％、または約４．５％、または約５％、または約５．５％、または約６％、または約６．５％、または約７％、または約７．５％、または約８％、または約８．５％、または約９％、または約９．５％または約１０％の空隙率を有する。最も好ましくは、約５．５％または約７．５％、または約５．５％〜約７．５％である。好ましくは、約５．５％〜約７．５％である。
【００４３】
好ましくは、管状本体の発泡壁は物理発泡成形によって、または化学発泡成形によって、または両者の組み合わせによって発泡される。
【００４４】
好ましくは、押出成形物は、直鎖状低密度ポリエチレン（ＬＬＤＰＥ）、低密度ポリエチレン（ＬＤＰＥ）、ポリプロピレン（ＰＰ）、ポリオレフィンプラストマ（ＰＯＰ）、エチレン酢酸ビニル（ＥＶＡ）の１種または複数種の高分子またはこれら材料のブレンドを含む。可塑化ＰＶＣも適切な材料であろうが、環境的理由からあまり使用されていない。
【００４５】
好ましくは、押出成形物は１種または複数種の化学発泡剤を含む。より好ましくは、化学発泡剤は酸化カルシウムを含んでもよい。
【００４６】
好ましくは、押出成形物は１種または複数種の表面改質剤を含む。より好ましくは、表面改質剤は、グリセロールモノステアレート（ＧＭＳ）、エトキシル化アミン、アルカンスルホン酸ナトリウム塩、またはラウリン酸ジエタノールアミンの１種または複数種を含んでもよい。
【００４７】
好ましくは、高分子は、押出成形物全体の少なくとも約９８．４、９８．５、９８．６、９８．７、９８．８、９８．９、９９．０、９９．１、９９．２、９９．３、９９．４、９９．５、９９．６、９９．７、９９．８または９９．９重量パーセント（ｗｔ．％）含まれる。より好ましくは、高分子は押出成形物全体の約９９．４９ｗｔ．％含まれる。代わりとして、好ましくは、高分子は押出成形物全体の約９９．４８８ｗｔ．％含まれる。好ましくは、少なくとも約９８．４ｗｔ．％含まれる。
【００４８】
好ましくは、化学発泡剤は、押出成形物全体の少なくとも約０．００５、０．００６、０．００７、０．００８、０．００９、０．０１、０．０１１、０．０１２、０．０１３、０．０１４、０．０１５、０．０１６、０．０１７、０．０１８、０．０１９または０．０２重量パーセント（ｗｔ．％）含まれる。より好ましくは、化学発泡剤は押出成形物全体の約０．０１ｗｔ．％含まれる。代わりとして、好ましくは、化学発泡剤は押出成形物全体の約０．０１２ｗｔ．％含まれる。または、約０．０１ｗｔ．％〜約０．０１２ｗｔ．％含まれる。好ましくは、少なくとも約０．００５ｗｔ．％含まれる。
【００４９】
好ましくは、表面改質剤は押出成形物全体の少なくとも約０．０５、０．１、０．１５、０．２、０．２５、０．３、０．３５、０．４、０．４５、０．５、１．１、１．２、１．３、１．４または１．５重量パーセント（ｗｔ．％）含まれる。より好ましくは、表面改質剤は押出成形物全体の約０．２５ｗｔ．％含まれる。代わりとして、好ましくは、表面改質剤は押出成形物全体の約０．５ｗｔ．％含まれる。好ましくは、約０．２５ｗｔ．％〜約０．５ｗｔ．％、または少なくとも約０．０５ｗｔ．％含まれる。
【００５０】
好ましくは、結果として形成された管状本体の壁は、水による約５０、４５、４０、３５、３０、２５、２０度（°）未満の表面特性接触角をジェニオメータなどの角度測定デバイスによって測定可能にする。好ましくは、４５°である。より好ましくは、約２０度〜約４０度、または約２５度〜約３５度、または約２８度〜約３３度の接触角である。さらにより好ましくは、結果として形成された管状本体の壁は約３３°の表面特性接触角を可能にする。
【００５１】
好ましくは、ヒータは管状本体の壁に付属している。好ましくは、ヒータは管状本体の内壁面に付属している。好ましくは、ヒータは管状本体の外壁面に付属している。好ましくは、ヒータは部分的にまたは全体的に管状本体の壁に埋設されている。
【００５２】
好ましくは、管状本体は外部シースをさらに含む。好ましくは、外部シースは管状本体の外壁面に付属しているヒータを取り囲んでいる。好ましくは、外部シースは隣接する外部波頂部（または環状突出部）間に空気を外部封入し、かつ管状本体の外壁面に付属しているヒータワイヤなどのヒータを拘束している。
【００５３】
好ましくは、管状本体は呼吸管であり、入口にある第１のコネクタおよび出口にある第２のコネクタによって終端し、入口コネクタと出口コネクタとの間の長さに１つのガス通路のみが設けられる。
【００５４】
好ましくは、管状本体はガス注入システムの少なくとも一部において使用するための導管の構成要素である。
【００５５】
好ましくは、管状本体が呼吸回路において使用するための呼吸管の構成要素である。
【００５６】
好ましくは、管状本体は、ＩＳＯ５３６７：２０００（Ｅ）（第４版、２０００年６月１日）による、曲げによる流動抵抗の増加における試験を通過することにより定められた可撓性を有する。
【００５７】
さらなる態様において、本発明は、
単一押出成形物から形成された発泡壁を有する管状本体を含む、呼吸管の一部を形成する、または呼吸管を形成する構成要素を広く含んでもよい。
発泡壁は表面改質されている。
【００５８】
好ましくは、発泡壁は化学的手段または物理的手段によって表面改質されている。
【００５９】
好ましくは、発泡壁は、壁表面の表面張力を変えることにより、例えば、壁表面の表面張力を増加することにより表面改質されている。
【００６０】
好ましくは、発泡壁は、使用時、管状本体内の液体（または形成されている可能性のある凝縮物）の視覚的検出を可能にする十分な最低限の光透過性を有するものである。
【００６１】
好ましくは、管状本体の壁は波形であるか、波形の外形のものであり、波形の外形は交互する外部波頂部（または環状突出部）と内部波底部（または環状凹部）とを含む。
【００６２】
好ましくは、管状本体は環状波形形状または螺旋波形形状のものである。
【００６３】
好ましくは、外部波頂部は管状本体の最大内半径および最大外半径の位置に相当し、内部波頂部は管状本体の最小内半径および最小外半径の位置に相当する。
【００６４】
好ましくは、管状本体は実質的に均一な壁厚を有する。
【００６５】
好ましくは、壁厚は約０．２ｍｍ〜約１ｍｍ、または約０．３ｍｍ〜約０．９ｍｍ、または約０．４ｍｍ〜約０．８ｍｍ、または約０．５ｍｍ〜約０．７ｍｍ、または約０．３ｍｍ〜約０．６ｍｍ、または約０．４ｍｍ〜約０．７ｍｍの厚さである。
【００６６】
好ましくは、壁厚は約０．２、０．３、０．４、０．５、０．６、０．７、０．８、０．９または１ｍｍの厚さである。
【００６７】
好ましくは、発泡壁は、少なくとも発泡壁によって境界を定められた管状本体の内部を断熱している。
【００６８】
好ましくは、発泡壁は約０．２〜０．４Ｗ／ｍ−°Ｋ（ワット／メートル度ケルビン）または約０．１５〜０．３５Ｗ／ｍ−°Ｋ、または約０．２５〜０．４５Ｗ／ｍ−°Ｋの熱伝導率を有する。
【００６９】
好ましくは、発泡壁は約０．３Ｗ／ｍ−°Ｋの熱伝導抵抗を有する。
【００７０】
好ましくは、発泡壁は発泡高分子材料の単一片である。
【００７１】
好ましくは、発泡壁は、約１０％以下、または約９％以下、または約８％以下、または約７％以下、または約６％以下または約５％以下、または約４％以下、または約３％以下、または約２％以下、または約１％以下の空隙率を有する。
【００７２】
好ましくは、発泡壁は、約１％、約１．５％、約２％、約２．５％、約３％、約３．５％、約４％、または約４．５％、または約５％、または約５．５％、または約６％、または約６．５％、または約７％、または約７．５％、または約８％、または約８．５％、または約９％、または約９．５％、または約１０％の空隙率を有する。
【００７３】
好ましくは、発泡壁は約５．５％〜約７．５％の空隙率を有する。
【００７４】
好ましくは、押出成形物は１種または複数種の高分子を含む。
【００７５】
好ましくは、押出成形物は、直鎖状低密度ポリエチレン（ＬＬＤＰＥ）、低密度ポリエチレン（ＬＤＰＥ）、ポリプロピレン（ＰＰ）、ポリオレフィン、プラストマ（ＰＯＰ）、エチレン酢酸ビニル（ＥＶＡ）、可塑化ポリ塩化ビニル（ＰＶＣ）の１種または複数種またはこれら材料のブレンドを含む。
【００７６】
好ましくは、押出成形物は１種または複数種の化学発泡剤をさらに含む。
【００７７】
好ましくは、押出成形物は酸化カルシウムを含む１種または複数種の化学発泡剤をさらに含む。
【００７８】
好ましくは、押出成形物は１種または複数種の表面改質剤をさらに含む。
【００７９】
好ましくは、押出成形物はグリセロールモノステアレート（ＧＭＳ）、エトキシル化アミン、アルカンスルホン酸ナトリウム塩またはラウリン酸ジエタノールアミンを含む１種または複数種の表面改質剤をさらに含む。
【００８０】
好ましくは、押出成形物は、押出成形物全体の少なくとも約９８．４、９８．５、９８．６、９８．７、９８．８、９８．９、９９．０、９９．１、９９．２、９９．３、９９．４、９９．５、９９．６、９９．７、９９．８または９９．９重量パーセント（ｗｔ．％）である高分子（１種）または高分子（複数種）を含む。
【００８１】
好ましくは、押出成形物は、押出成形物全体の少なくとも約９９．４９ｗｔ．％または９９．４８８９ｗｔ．％である高分子（１種）または高分子（複数種）を含む。
【００８２】
好ましくは、押出成形物は、押出成形物全体の少なくとも約０．００５、０．００６、０．００７、０．００８、０．００９、０．０１、０．０１１、０．０１２、０．０１３、０．０１４、０．０１５、０．０１６、０．０１７、０．０１８、０．０１９または０．０２重量パーセント（ｗｔ．％）の化学発泡剤を含む。
【００８３】
好ましくは、押出成形物は、押出成形物全体の約０．０１ｗｔ．％〜０．０１２ｗｔ．％の化学発泡剤を含む。
【００８４】
好ましくは、押出成形物は、押出成形物全体の少なくとも約０．０５、０．１、０．１５、０．２、０．２５、０．３、０．３５、０．４、０．４５、０．５、１．１、１．２、１．３、１．４または１．５重量パーセント（ｗｔ．％）の表面改質剤を含む。
【００８５】
好ましくは、押出成形物は、押出成形物全体の約０．２５ｗｔ．％〜０．５ｗｔ．％の表面改質剤を含む。
【００８６】
好ましくは、結果として形成された管状本体は約５０、４５、４０、３５、３０、２５、２０度（°）未満の表面特性接触角を可能にする。
【００８７】
好ましくは、構成要素はヒータをさらに含む。
【００８８】
好ましくは、ヒータは管状本体の壁に付属している。
【００８９】
好ましくは、ヒータは管状本体の内壁面に付属している。
【００９０】
好ましくは、ヒータは管状本体の外壁面に付属している。
【００９１】
好ましくは、ヒータは部分的にまたは全体的に管状本体の壁に埋設されている。
【００９２】
好ましくは、管状本体は外部シースをさらに含む。
【００９３】
好ましくは、外部シースは管状本体の外壁面に付属しているヒータを取り囲んでいる。
【００９４】
好ましくは、外部シースは隣接する外部波頂部（または環状突出部）間に空気を外部封入し、かつ管状本体の外壁面に付属しているヒータワイヤなどのヒータを拘束している。
【００９５】
好ましくは、管状本体は呼吸管であり、入口にある第１のコネクタおよび出口にある第２のコネクタによって終端し、入口コネクタと出口コネクタとの間の長さに１つのガス通路のみが設けられる。
【００９６】
好ましくは、管状本体はガス注入システムの少なくとも一部において使用するための導管の構成要素である。
【００９７】
好ましくは、管状本体は呼吸回路において使用するための呼吸管の構成要素である。
【００９８】
好ましくは、管状本体は、ＩＳＯ５３６７：２０００（Ｅ）（第４版、２０００年６月１日）による、曲げによる流動抵抗の増加における試験を通過することにより定められた可撓性を有する。
【００９９】
さらなる態様において、本発明は、
発泡壁を有する管状本体であって、単一押出成形物から形成された、管状本体を含む、呼吸管の一部を形成する、または呼吸管を形成する構成要素を広く含んでもよい。この態様に関して、上述の好適な実施形態をそのような管状本体とさらに組み合わせてもよい。
【０１００】
さらなる態様において、本発明は、発泡壁を有する管状本体であって、単一押出成形物から形成されており、外部シースをさらに含む、管状本体を含む、呼吸管の一部を形成する、または呼吸管を形成する構成要素を広く含んでもよい。この態様に関して、上述の好適な実施形態をそのような管状本体とさらに組み合わせてもよい。
【０１０１】
さらなる態様において、本発明は、
改質された表面を有する壁を有する管状本体であって、単一押出成形物から形成された、管状本体を含む、呼吸管の一部を形成する、または呼吸管を形成する構成要素を広く含んでもよい。この態様に関して、上述の好適な実施形態をそのような管状本体とさらに組み合わせてもよい。
【０１０２】
さらなる態様において、本発明は、
改質された表面を有する壁を有する管状本体であって、単一押出成形物から形成されており、外部シースをさらに含む、管状本体を含む、呼吸管の一部を形成する、または呼吸管を形成する構成要素を広く含んでもよい。この態様に関して、上述の好適な実施形態をそのような管状本体とさらに組み合わせてもよい。
【０１０３】
さらなる態様において、本発明は、
単一押出成形物から管状本体を押し出すステップであって、押出成形物が、発泡管状本体の壁が、管状本体内の液体（または形成されている可能性のある凝縮物）の視覚的検出を可能にする使用である十分な最低限の光透過性を有するように形成された管状本体の発泡成形のための発泡剤を含む、ステップを含む、呼吸管の一部を形成する、または呼吸管を形成する構成要素を形成する方法を広く含んでもよい。
【０１０４】
好ましくは、方法は、押し出された管状本体をコルゲータに送り、交互する外部波頂部（または環状突出部）と内部波底部（または環状凹部）とを含む波形の外形を有する押し出された管状本体に波形構造を形成するステップをさらに含む。
【０１０５】
好ましくは、波形構造は環状波形形状のものであっても螺旋波形形状のものであってもよい。
【０１０６】
好ましくは、方法は、第１の端部を第１のコネクタにより終端し、かつ第２の端部を第２のコネクタにより終端するステップをさらに含み、１つのガス通路のみが第１のコネクタと第２のコネクタとの間に形成される。
【０１０７】
好ましくは、方法は、ヒータまたはシースの１つまたは複数を管状本体のまわりに取り付けるステップをさらに含む。
【０１０８】
好ましくは、ヒータは管状本体の壁に付属している。好ましくは、ヒータは管状本体の内壁面または管状本体の外壁面のいずれかに付属され得る。代わりとして、好ましくは、そのようなヒータは部分的にまたは全体的に管状本体の壁に埋設され得る。
【０１０９】
好ましくは、構成要素はヒータをさらに含む。好ましくは、ヒータは管状本体の壁に付属している。好ましくは、ヒータは管状本体の内壁面に付属している。好ましくは、ヒータは管状本体の外壁面に付属している。好ましくは、ヒータは部分的にまたは全体的に管状本体の壁に埋設されている。
【０１１０】
好ましくは、管状本体は外部シースをさらに含む。好ましくは、外部シースは管状本体の外壁面に付属しているヒータを取り囲んでいる。好ましくは、外部シースは隣接する外部波頂部（または環状突出部）間に空気を封入してもよく、かつ管状本体の外壁面に付属しているヒータワイヤなどのヒータを拘束している。
【０１１１】
さらなる態様において、本発明は、単一押出成形物の押し出しにより形成された発泡壁を有する発泡壁を有する管状本体を含み、呼吸管の一部を形成する、または呼吸管を形成する構成要素を含み、
管状本体は外部シースをさらに含む。
【０１１２】
さらなる態様において、本発明は、発泡壁を有する管状本体を含み、呼吸管の一部を形成する、または呼吸管を形成する構成要素を含み、
発泡壁は表面改質されており、管状本体は外部シースをさらに含む。
【０１１３】
さらなる態様において、本発明は、図面のいずれか１つまたは複数を参照して本明細書中に記載した構成要素を含む。
【０１１４】
本明細書および特許請求の範囲において使用される「含む（ｃｏｍｐｒｉｓｉｎｇ）」という用語は、「少なくとも部分的に含む（ｃｏｎｓｉｓｔｉｎｇ  ａｔ  ｌｅａｓｔ  ｉｎ  ｐａｒｔ  ｏｆ）」ことを意味する。用語「含む（ｃｏｍｐｒｉｓｉｎｇ）」を含む本明細書および特許請求の範囲内の各記載を解釈する際、この用語から始まるもの（単数または複数）以外の特徴も存在し得る。「含む（ｃｏｍｐｒｉｓｅ  および  ｃｏｍｐｒｉｓｅｓ）」等の関連する用語も同じように解釈すべきである。
【０１１５】
本発明は、また、出願明細書および／または発明明細書に個々にまたは集合的に言及されるまたは示される部品、要素および特徴、ならびに前記部品、要素、特徴または発明明細書の任意の２つ以上のいずれかまたはすべての組み合わせを広く含むとされ得る。本発明が関係する当技術分野において公知の均等物を有する本明細書中において特定の整数が言及される場合、そのような公知の均等物は個々に説明するかのように本明細書中に組み込まれると考えられる。
【０１１６】
本発明は、前述のものを含み、また、以下により示される構造は単に例であると認識される。
【０１１７】
本発明の好適な実施形態を単に例としておよび図面を参照して説明する。
【図面の簡単な説明】
【０１１８】
【図１】任意選択的に、管構成要素の一部に示されるシースを含む、本発明の一実施形態による医療チューブ構成要素、例えば、ガス注入システムの呼吸管またはリムの部分切開側面図を含む、波形の管状構成要素の断面図を示す。
【図２Ａ】発泡成形によって生じた種々の空隙率を全体として示す、管の壁部分において切った断面図であり、より高い透明性または明瞭度を有する（または管内における液体の視覚的検出の容易性が増加した）より低い（図２Ｂのものよりも低い）空隙率の発泡管状本体壁を全体として示す。
【図２Ｂ】発泡成形によって生じた種々の空隙率を全体として示す、管の壁部分において切った断面図であり、低下した透明性または明瞭度（または管内における液体の視覚的検出の容易性が低下した）を有するより高い（図２Ａのものよりも高い）空隙率の発泡管状本体壁を全体として示す。
【図３】本発明による構成要素が使用され得る１つの種類の呼吸回路の概略図である。
【図４】吸気リムおよび排気リムを示す患者および加湿ガス注入システムの概略図である。
【図５】医療用チューブの１つの好適な形成方法の概略図である。
【図６】ホッパーフィード、ダイヘッドへのスクリューフィーダを含み、かつコルゲータにより終端する、医療用チューブのさらに好適な形成方法の概略図である。
【図７】管状本体の通路内にヒータワイヤを組み込んだ、本発明の一実施形態による発泡管状本体の全体図である。
【図８】管状本体の外壁面の外部表面のまわりに配置されたヒータワイヤを組み込んだ、本発明の一実施形態による発泡管状本体の全体図である。
【発明を実施するための形態】
【０１１９】
医療回路、特に、呼吸回路（麻酔回路を含む）の分野において、高湿度の呼吸ガスが相対的に低い温度で構成要素の壁に接触する場合、結露または水滴降下は特に問題となるおそれがある。壁の熱抵抗（または断熱性能）を向上させることは、この点で利点を提供する。しかしながら、使用者または介護者には、構成要素内における液体の存在または凝縮物の蓄積を視覚的に特定することができるか、視覚的に認識することができると依然有益である。本発明は、これら有益な要件の両方を患者および介護者に提供する構成要素を可能にすることを目的とする。
【０１２０】
図３を参照すると、患者１００が加湿ガス運搬経路または吸気呼吸管１０３に連結された患者インターフェース１０２を介して加湿および加圧されたガスを受け取る加湿人工呼吸システムが示されている。送達システムは、また、持続的気道陽圧、可変気道陽圧または二相性気道陽圧または呼吸療法の多数の他の形態とされ得ることを理解すべきである。ｑ吸気管１０３は一定量の水１０６を含む加湿チャンバ１０５の出口１０４に連結されている。吸気管１０３は、管内における加湿ガスの結露を低減するために管の壁を加熱するヒータまたはヒータワイヤ（図示せず）を含んでもよい。加湿チャンバ１０５は、好ましくは、プラスチック材料から形成され、かつ加湿器１０８のヒータプレート１０７に直に接触している高熱伝導性の底部（例えば、アルミニウム製の底部）を有してもよい。加湿器１０８には、関連する記憶装置に保存されたコンピュータソフトウェアの命令を実行する、マイクロプロセッサをベースとした制御器を含んでもよい制御手段または電子制御器が設けられている。
【０１２１】
制御器は、例えば、ダイアル１１０を介して使用者が設定した湿度または温度値の入力および他の入力に応答し、いつ（またはどの程度まで）ヒータプレート１０７に電圧を加えて加湿チャンバ１０５内の水１０６を加熱するかを決定する。加湿チャンバ１０５内の一定量の水が加熱されると、水蒸気がチャンバの水面上の容積を充填し始め、ガス供給手段または人工呼吸器／送風機１１５から供給され、入口１１６を通じてチャンバ１０５に入るガス（例えば、空気）の流れとともに加湿チャンバ出口１０４から送出される。患者の口から呼出されたガスは戻り呼気呼吸管１３０を介して人工呼吸器に戻る。
【０１２２】
人工呼吸器１１５には、送風機入口１１７を通じて空気または他のガスを引き込む可変圧力調整手段または可変速度ファン１２１が設けられている。可変速度ファン１２１の速度は電子制御器１１８によって制御される。患者インターフェース１０２は、同様に、鼻マスク、口マスク、口鼻マスク、鼻プロングまたは全面式マスク等とされ得ることは理解されよう。
【０１２３】
しかしながら、また、本発明の分野における医療用チューブが満たすべき他の相反する要件がある。例えば、好ましくは、呼吸回路用の呼吸管は、
つぶれに対する抵抗があり、
曲げた場合の流動の妨げに対する抵抗があり（１インチのシリンダを曲げた場合の流動抵抗の増加が＜５０％）、
キンクに対する抵抗があり、
内圧下における長さ／体積の変化に対する抵抗があり（コンプライアンス）、
漏れに対する抵抗があり（６ｋＰａで＜２５ｍｌ／分）、
低い流動抵抗を有し（最大定格流量＜０．２ｋＰａで圧力を上昇）、
電気的に安全である。すなわち、特に、酸素療法などの酸素が豊富な環境では、管内における火花は極めて危険となるおそれがある。
【０１２４】
国際規格ＩＳＯ５３６７：２０００（Ｅ）（第４版、２０００年６月１日）は、これら望ましいパラメータのいくつかがどのように測定され、かつ評価されるかについての１つの例であり、同文書はその全体が参照によって本明細書に組み込まれる。本発明の構成要素はこれら規格のいくつかまたはすべてを満たすか上回ることが好ましい。
【０１２５】
本明細書において、用語「医療回路」および「呼吸回路」は本発明の全般的な分野を示すために使用される。「回路」は、完全な閉路を形成しない開路を含むことを意図するものであると理解すべきである。例えば、ＣＰＡＰシステムは、通常、送風機と患者インターフェースとの間に単一の吸気呼吸管を含む。用語「呼吸回路」は、このような「開路」を含むことを意図している。同様に、用語「医療回路」は、呼吸回路およびガス注入回路（同様に、通常「開」である）の両方を含むことを意図している。同様に、用語「医療用チューブ」は、医療回路の構成要素間を連結し、医療回路の構成要素間にガス経路を設ける、上述した種類の医療回路における使用に適した可撓性管と解釈されることを意図している。
【０１２６】
用語「実質的に均一な」壁厚の波形管は、外部尖頭が、例えば、管の最大外半径を含む一方で、同様に、管の最大内半径を形成し、内部波底部が、例えば、管の最小内半径および最小外半径を形成する波形の外形を有する管を意味することを意図している。この種の管は、通常、後に波形にされる実質的に均一な厚みの押出品から形成される。後に形成される波形構造では、外部尖頭領域の壁厚を仕上管の内部波底部領域に対して変えてもよいことは理解されよう。実際の最小壁厚と実際の最大壁厚との比は、例えば、１：１．５〜３．０まで変えてもよい。
【０１２７】
本明細書および特許請求の範囲において使用される「単一押出成形物」とは、押出成形機に供給されて押し出される、単一バッチまたはブレンドまたは配合または材料（または材料（複数））の混合物を意味することは一般に理解されよう。このようにして、単一層の押出品が形成される。これは、例えば、共押出または押出コーティング技術によって形成されるもののような多層の押出成形物とは対照的であることは理解されよう。
【０１２８】
本明細書および特許請求の範囲において使用される用語「視覚的検出」は、人間の眼による認識を意味し、例えば、人が管状本体の少なくとも一部内における液体（または形成されている可能性のある凝縮物）の存在または蓄積を視覚的に認識できることを意図している。さらなる例は、本明細書中に記載される「視覚的検出試験法」を実施した場合、本発明による管状本体内の液体（または形成されている可能性のある凝縮物）の存在または蓄積を人が視覚的に認識できる場合を含む。
【０１２９】
呼吸管
本発明の分野における医療用チューブは、呼び径寸法約１０ｍｍ〜約３０ｍｍおよび長さ約３００ｍｍ〜２．５ｍを有する。特に、インターフェース構成要素に連結するための医療用チューブ等の用途では、管は大幅に短くてもよい（例えば、５０ｍｍ〜３００ｍｍ）。カテーテルマウントは、例えば、約８０ｍｍの長さを有してもよい。カテーテルマウントは、使用時、それぞれ患者への吸気呼吸ガスおよび患者からの呼気呼吸ガスの両方を運ぶ単一内腔管である。
【０１３０】
発泡実施形態
第１の実施形態において、（例えば、吸気管１０３などの）呼吸管の一部を形成する、または呼吸管を形成する構成要素１が設けられている。構成要素１は単一押出成形物の押し出しにより形成された発泡壁３を有する管状本体２を含む。発泡壁３は、使用時、管状本体２内の液体（または形成されている可能性のある凝縮物）の視覚的検出を可能にするよう十分な最低限の光透過性を有するものである。
【０１３１】
しかしながら、別の実施形態では、（例えば、吸気管１０３などの）呼吸管の一部を形成する、または呼吸管を形成する構成要素１が設けられている。構成要素１は単一押出成形物の押し出しにより形成された発泡壁３を有する管状本体２を含む。代わりとして、別の実施形態では、（例えば、吸気管１０３などの）呼吸管の一部を形成する、または呼吸管を形成する構成要素１が設けられている。構成要素１は発泡壁３を有する管状本体２を含み、管状本体２は単一押出成形物から形成されており、管状本体は外部シース７をさらに含む。これら実施形態双方において、さらなる特徴、ならびに、例えば、任意の発熱体、外装シース、壁３の発泡成形法および量ならびに導管が波形形状のものであるか否かを含む、管状本体の壁の表面改質技術の形態等の実施形態との組み合わせが考えられる。
【０１３２】
またさらなる実施形態においては、しかしながら、（例えば、吸気管１０３などの）呼吸管の一部を形成する、または呼吸管を形成する構成要素１が設けられている。構成要素１は、改質された表面を有する壁３を有する管状本体２を含み得る。管状本体は単一押出成形物から形成されている。代わりとして、別の実施形態では、（例えば、吸気管１０３などの）呼吸管の一部を形成する、または呼吸管を形成する構成要素１が設けられている。構成要素１は、改質された表面を有する壁３を有する管状本体２を含み得る。管状本体２は単一押出成形物から形成されており、管状本体は外部シース７をさらに含む。同様に、および上述したように、これら実施形態双方において、さらなる特徴、ならびに、例えば、任意の発熱体、外装シース、壁３の発泡成形法および量ならびに導管が波形形状のものであるか否かを含む管状本体の壁の表面改質技術の形態等の実施形態との組み合わせが考えられる。
【０１３３】
図２Ａおよび図２Ｂは、発泡管状本体壁の断面図を全体として示す。図２Ａは、図２Ｂにおける壁の空隙率を下回る空隙率を有する壁部分を示す。空隙率は構成要素１の断熱性能を向上させる。空隙はガス気泡または発泡空隙１８として示される。
【０１３４】
図２Ａは、そのような構成要素１の管状本体２内に蓄積している可能性のある液体または凝縮物の視覚的検出を可能にするのに十分な視覚的明瞭度を有する壁を全体として示す。そのような視覚的特性は、使用者または介護者が管状本体内の液体の存在を視覚的に認識することを可能にし、必要であれば、構成要素から液体を排出するための処置をとるか、または受け手他の必要な処置。または、少なくとも保守が受けられることを可能にする。
【０１３５】
対照的に、図２Ｂの図に限られるものではないが、図２Ｂは、空隙率の水準が高くなるほど不透明度の可能性が高くなるか、管状本体２の壁の視覚的明瞭度または透明性は低下することを全体として示す。壁の空隙率は、少なくともそのような管状本体（または構成要素１）を使用する使用者または患者の介護者による視覚的検出のための最低限の透明性を可能にする水準とすべきである。
【０１３６】
そのような管状本体２の壁３は、任意選択的に、波形であるか、波形の外形のものとされ得る（例えば、図１に示すような）。例えば、波形の外形は、交互する外部波頂部４（または環状突出部）と内部波底部５（または環状凹部）とを含み得る。外部波頂部４は、管状本体の最大内半径および最大外半径の位置に相当し得るとともに、内部波底部５は、管状本体の最小内半径および最小外半径の位置に相当し得る。そのような波形構造は、環状波形形状のものであっても螺旋波形形状のものであってもよい。代わりとして、管状本体は滑らかなものであっても非波形の外形のものであってもよい。
【０１３７】
管状本体２は有利には実質的に均一な壁厚を有する。約０．２ｍｍ〜約１ｍｍ、または約０．３ｍｍ〜約０．９ｍｍ、または約０．４ｍｍ〜約０．８ｍｍ、または約０．５ｍｍ〜約０．７ｍｍ、または約０．３ｍｍ〜約０．６ｍｍ、または約０．４ｍｍ〜約０．７ｍｍの壁厚である。壁は、約０．２、０．３、０．４、０．５、０．６、０．７、０．８、０．９または１ｍｍの厚さであってもよい。
【０１３８】
そのような発泡壁３は、好ましくは、少なくとも発泡壁３によって境界を定められた管状本体２の内部（またはガス流路）に所定のレベルの断熱を提供する。特に、壁３は、管状本体２の（例えば、ガス流路を流れる加湿ガスなどの）内容を管状本体の周囲環境の潜在的な冷却作用から断熱する（例えば、呼吸回路または腹腔鏡下ガス注入システムを取り巻く周囲空気から断熱する）。構成要素または管状本体２を取り巻く環境は、例えば、病棟または病室、手術室または患者が配置される可能性のある他の場所である。
【０１３９】
発泡壁３は、例えば、単一押出成形物の押し出しによって形成された発泡高分子材料の単一片である。
【０１４０】
管状本体の壁３の発泡成形は、例えば、呼吸管または呼吸回路の一部としての構成要素の断熱特性を強化することを可能にする。特に、発泡壁３は、構成要素、特に、少なくとも発泡壁によって境界を定められた管状本体の内部の断熱特性の全体的な増加を提供してもよい。種々の実施形態において、発泡壁３は、約０．２〜約０．４Ｗ／ｍ−°Ｋ（ワット／メートルケルビン）の熱伝導率を有するまたは提供する。しかしながら、発泡壁３は、他のレベルの熱伝導率を有利に提供してもよく、有利には、約０．１５〜０．３５Ｗ／ｍ−°Ｋまたは約０．２５〜０．４５Ｗ／ｍ−°Ｋの熱伝導率が好適であることが理解されよう。
【０１４１】
管状本体２の壁を発泡成形する一部として、発泡成形は壁３内に特定のガス空隙１８を提供する。ガス空隙１８の定量的測度は空隙率として示すことができる。空隙率は、管状本体の単位体積に占める空隙（ガス）空間の体積を示す。
【０１４２】
ガス空隙１８は、所望のレベルの管状壁の透明性を可能にすることに加えて構成要素１の断熱性能への寄与を補助してもよい。
【０１４３】
管状壁２の最小限レベルの透明性により、人による液体（または管状本体または構成要素内に蓄積している可能性のある凝縮物）の視覚的検出が可能になる。
【０１４４】
種々のレベルの空隙率は、約１０％以下、または約９％以下、または約８％以下、または約７％以下、または約６％以下または約５％以下、または約４％以下、または約３％以下、または約２％以下、または約１％以下とされ得る。または、管状本体の壁の空隙率の範囲は、約１％、約１．５％、約２％、約２．５％、約３％、約３．５％、約４％、または約４．５％、または約５％、または約５．５％、または約６％、または約６．５％、または約７％、または約７．５％、または約８％、または約８．５％、または約９％、または約９．５％、または約１０％とされ得る。
【０１４５】
本出願人の試験結果によれば、管状本体の壁に形成されるべき最も好ましい空隙率は、約５．５％または約７．５％もしくは約５．５％〜約７．５％である。そのような空隙率により、液体の存在、蓄積した液体または（例えば、水滴降下による）凝縮物の他の蓄積を人が視覚的に特定するまたは視覚的に認識することが可能になる。
【０１４６】
管状本体の発泡壁３は、物理発泡成形技術または化学発泡成形技術のいずれかによって、またはこれら両者の組み合わせによって発泡され得る。
【０１４７】
押出成形物はいくつかの高分子材料を含んでもよい。この高分子材料には、（例えば、マスターバッチとして混合することによって、またはマスターバッチを形成するため）他の材料を添加してもよい。好適な材料は、直鎖状低密度ポリエチレン（ＬＬＤＰＥ）、低密度ポリエチレン（ＬＤＰＥ）、ポリプロピレン（ＰＰ）、ポリオレフィンプラストマ（ＰＯＰ）、エチレン酢酸ビニル（ＥＶＡ）の１種または複数種の高分子またはこれら材料のブレンドを含む。
【０１４８】
可塑化ＰＶＣも適切な材料であろうが、環境的理由からあまり使用されていない。
【０１４９】
高分子材料は、押出成形物全体の少なくとも約９８．４、９８．５、９８．６、９８．７、９８．８、９８．９、９９．０、９９．１、９９．２、９９．３、９９．４、９９．５、９９．６、９９．７、９９．８または９９．９重量パーセント（ｗｔ．％）含まれ得る。特定の実施形態では、高分子材料は（ＬＬＤＰＥとして）押出成形物全体の約９９．４９ｗｔ．％含まれる。
【０１５０】
代わりとして、好ましくは、高分子は押出成形物全体の約９９．４８８ｗｔ．％含まれる。
【０１５１】
表面改質
押出成形物に含まれ得るそのようなさらなる材料の１種または複数種の表面改質剤である。
【０１５２】
表面改質剤は、好ましくは、グリセロールモノステアレート（ＧＭＳ）、エトキシル化アミン、アルカンスルホン酸ナトリウム塩、またはラウリン酸ジエタノールアミンを含んでもよい。
【０１５３】
好ましくは、表面改質剤は押出成形物全体の少なくとも約０．０５、０．１、０．１５、０．２、０．２５、０．３、０．３５、０．４、０．４５、０．５、１．１、１．２、１．３、１．４または１．５重量パーセント（ｗｔ．％）含まれる。より好ましくは、表面改質剤は押出成形物全体の約０．２５ｗｔ．％含まれる。代わりとして、好ましくは、表面改質剤は押出成形物全体の約０．５ｗｔ．％含まれる。
【０１５４】
例えば、Ｃｌａｒｉａｎｔ（Ｎｅｗ  Ｚｅａｌａｎｄ）Ｌｔｄ．により「４１８ＬＤ  Ｍａｓｔｅｒｂａｔｃｈ  Ａｎｔｉｓｔａｔｉｃ」の商品名で提供されているＭＬＤＮＡ−４１８は、５（±０．２５）％のグリセロールモノステアレート（ＣＡＳＮｏ．１２３−９４−４）を活性成分として含む表面改質剤マスターバッチである。
【０１５５】
表面改質剤は押出成形物に付加的に含まれてもよい。そのような薬剤は、形成された構成要素または管の表面の表面エネルギ（または濡れ性）の増加を補助する。このようにして、表面エネルギを有利に増加することは、表面に蓄積するおそれのある凝縮物または液体の滴または玉間における接触角の低下を促進するよう作用してもよい。
【０１５６】
接触角は、構成要素または管壁の固体表面と、液滴の端点の上面までの接線とにより形成された角度である。接触角測定は固体表面の液体の濡れ挙動を決定する非破壊法である。これにより、拡張係数と共に表面張力および界面張力を計算することが可能になる。接触角のデータから計算された表面張力は表面および流体システム各々の特性の測定値である。
【０１５７】
液体と表面との間の接触角はゴニオメータ（角度測定デバイス）を使用して測定される。精密な量の液体を清浄かつ乾燥した平坦な試験表面に精密シリンジを使用して分与する。滴を数秒間安定させ、滴の画像を取り込むために高倍率カメラを使用する。画像は計数化され、試験表面と、滴表面に沿う接線との間の角度が測定される。
【０１５８】
接触角の低減は、滴と固体表面との間の接触面積を増加するとともに滴の厚みも低減し、滴内の熱伝導を向上させる。両作用により滴の蒸発率は上昇する。
【０１５９】
表面のエネルギを増加すると、表面に配置された滴の接触角が低減される。このようにして、より高いエネルギ表面の表面にある液体の滴は、優先的に、表面に接触するより大きな表面積を有し得る。その後、相対的に低いエネルギの表面。
【０１６０】
有利には、滴は表面のより大きな表面積に広がってよく、したがって、構成要素または管内を流れるガス流内に再蒸発する可能性が高くなってもよい。
【０１６１】
例えば、滴または玉が管の壁の内部表面全体に広がり、通過するガス流内に再蒸発するためのより大きな表面積を可能にしてもよい。
【０１６２】
別の例においては、管が（環状波形形状であろうと螺旋波形形状であろうと）波形である場合、低温の場所の波形の部分に水の滴またはビーズが形成される可能性が高くなる（すなわち、一般に、これは、管を取り巻く周囲条件に最も近いか、それに最もさらされている波形の部分である）。このような場合では、管表面の表面特性を変えると低温の場所に形成された滴または玉が管表面全体に広がることを促進することができ、そうすることによって、より暖かい温度の領域の方に移動させてもよい。このような滴またはビーズの移動により、再蒸発率をさらに向上させることが可能となる。これは、滴が、より暖かい温度の領域の方におそらくは移動することはもとより、より大きなまたはより速いガス流の流れにさらされる管の領域の方におそらくは移動することの両方によるものである。したがって、管の内部表面壁から半径方向内側への滴または玉の移動の向上を提供することによってより高い再蒸発率が得られてもよい。
【０１６３】
表面改質に関しては、本発明の種々の態様において、本体２が改質された表面を有する場合、構成要素１およびその管状本体２は単一押出成形物から形成され得ることを理解すべきである。改質された表面は、好ましくは、上述のような再蒸発率または滴の移動という利点を促進してもよい。
【０１６４】
表面エネルギを増加させるために使用してもよい他の方法のいくつかには、以下を含む。
・物理的
・物理吸着
・ラングミュアーブロジェット膜
・化学的
・強酸による酸化
・オゾン処理
・化学吸着
・火炎処理
・放射
・プラズマ（グロー放電）
・コロナ放電
・光活性化（ＵＶ）
・レーザ
・イオンビーム
・電子ビーム
・ガンマ照射
【０１６５】
このように形成された構成要素または管に表面エネルギの増加および濡れ性を付与するため化学添加剤または薬剤も使用され得る。
【０１６６】
そのような表面改質剤は、例えば、グリセロールモノステアレート、食品用乳化剤であってもよい。
【０１６７】
【表１】
2020163168.tif 000003
【０１６８】
５％のＭＬＤＮＡ−４１８表面改質剤を含有するサンプルは試験した他の表面改質法と比較して最も低い測定接触角を生じた。
【０１６９】
上の表１において、および本明細書の別の場所で参照される場合、接触角測定は、ＡＳＴＭ規格Ｄ７３３４、２００８，“Ｓｔａｎｄａｒｄ  Ｐｒａｃｔｉｃｅ  ｆｏｒ  Ｓｕｒｆａｃｅ  Ｗｅｔｔａｂｉｌｉｔｙ  ｏｆ  Ｃｏａｔｉｎｇｓ，Ｓｕｂｓｔｒａｔｅｓ  ａｎｄ  Ｐｉｇｍｅｎｔｓ  ｂｙ  Ａｄｖａｎｃｉｎｇ  Ｃｏｎｔａｃｔ  Ａｎｇｌｅ  Ｍｅａｓｕｒｅｍｅｎｔ”に従い実施される静的液滴形状試験法（ｓｔａｔｉｃ  ｄｒｏｐ  ｓｈａｐｅ  ｔｅｓｔｉｎｇ  ｍｅｔｈｏｄ）に基づく。
【０１７０】
管状本体２の表面特性（すなわち、結果として形成された管状本体の発泡壁３）の改質により表面特性接触角を変化させることができる。
【０１７１】
種々の表面改質法を選択することによって、ジェニオメータなどの角度測定デバイスによって測定可能な約５０、４５、４０、３５、３０、２５、２０度（°）未満の表面特性接触角を有する発泡壁３を設けることが可能である。有利には、約３５°未満の表面特性接触角を可能にする、結果として形成された管状本体の発泡壁３が有用な結果を提供するようである。
【０１７２】
発泡成形
押出成形物に含まれるべき別のさらなる材料は１種または複数種の化学発泡剤である。
【０１７３】
化学発泡剤により、押出成形物材料の発泡成形を押出工程の一部として、または押出工程の後に行うことが可能になる。
【０１７４】
例えば、化学発泡剤は押出成形物全体の少なくとも約０．００５、０．００６、０．００７、０．００８、０．００９、０．０１、０．０１１、０．０１２、０．０１３、０．０１４、０．０１５、０．０１６、０．０１７、０．０１８、０．０１９または０．０２重量パーセント（ｗｔ．％）を含み得る。
【０１７５】
好適な実施形態において、化学発泡剤は押出成形物全体の約０．０１ｗｔ．％〜約０．０１２ｗｔ．％を含み得る。
【０１７６】
化学発泡成形押出工程の一部として、押出成形物の高分子樹脂成分は化学発泡剤と混合される。化学発泡剤は膨張剤とも呼ばれることがある。
【０１７７】
いくつかの好ましい化学発泡剤は、酸化カルシウムを含むものを含む。例えば、Ｃｌａｒｉａｎｔ（Ｎｅｗ  Ｚｅａｌａｎｄ）Ｌｔｄ．により商品名ＨｙｄｒｏｃｅｒｏｌＣＦ２０Ｅで提供されているＭＨＹＮＡ−ＣＦ２０Ｅは、約０．５〜１％の酸化カルシウムを活性成分として含有する膨張剤マスターバッチの形態の化学発泡剤である。
【０１７８】
化学発泡押出工程時、高分子樹脂成分と化学発泡剤（複数種可）とが混合され融解される。化学発泡剤（複数種可）は分解し、高分子（またはマスターバッチまたは押出成形物）溶融体内に分散しており、押出成形機の金型から出される際に膨張するガスを放散する。
【０１７９】
また、構成要素１または管の発泡壁３の形成に、例えば、化学発泡成形法よりもむしろ物理発泡成形法による他の発泡成形技術が用いられ得ることは理解されよう。物理発泡成形法は、圧力下にある間、融解物または押出成形物に直接導入されるガスを含み得る。融解物または押出成形物は、その後、押し出されるため、圧力が低下し、ガスを膨張させる。例えば、１つのそのような物理発泡成形技術は、押出箇所におけるまたは押出箇所の近傍における押出成形物へのガス（複数可）の吹込または注入を含む。そのようなガス（複数種可）は、窒素、二酸化炭素、ペンタンまたはブタンを含んでもよい。
【０１８０】
ヒータおよびシース
構成要素１は、任意選択的に、（例えば、図４、７、８に示すような）ヒータ６をさらに含み得る。
【０１８１】
ヒータは、管状本体の壁、例えば、管状本体の内壁面（図４、７のような）または外壁面（図８のような）に付属され得る。
【０１８２】
他の実施形態において、ヒータは、部分的にまたは全体的に、管状本体２（図示せず）の壁３に埋設され得る。
【０１８３】
またさらなる実施形態において、管状本体２は、任意選択的に、外部シース７を含み得る。そのような外部シース７は管状本体２を取り囲んでいる。
【０１８４】
ヒータが管状本体２の外部表面に付属している場合、シース７はヒータを付加的に囲み得るか覆い得る。
【０１８５】
しかしながら、また、本発明の種々の態様において、ヒータが管状本体２に含まれているか否かにかかわらず、外部シース７は構成要素１を取り囲んでもよいと考えられる。
【０１８６】
シース７は種々の形態において設けられるものと考えられる。例えば、シース７は、押出外層として、本体２のまわりの外装として、または管状本体２のまわりの位置に滑り込ませる、または引っ張り込ませるスリーブとして管状本体２のまわりに取り付けられてもよい。そのようなシース７は、管状本体２と類似の材料、例えば、ＬＬＤＰＥ（低低密度ポリエチレン）で形成されてもよい。シース７は、管状本体２の熱性能をさらに向上させてもよい。シース７は任意の必要とする厚みを有するものでよいが、厚みおよび使用される材料は管状本体２の可撓性を維持するための要件と釣り合っているべきである。
【０１８７】
一実施形態において、外部シース７は約１００マイクロメートルの壁厚を有してもよいと考えられる。
【０１８８】
外部シース７が管状本体２のまわりに押し出される場合、例えば、そのような押し出しは管状本体２の最初の押し出しまで連続的な工程とされ得る。つまり、押出工程は本体２の形成後である。さらに、外部シース７が、例えば、本体２のまわりのラップである場合、シース７はテープ形状またはリボン形状のものであってもよく、かつ本体２の長さのまわりに螺旋状に巻かれ得る。またさらに、外部シース７が中空管として事前形成される場合、それは本体２の外側のまわりの位置にはめられてもよい。
【０１８９】
ヒータ６が用いられる場合、しかしながら、ヒータ６はヒータワイヤ形状のものとされ得る。そのようなヒータワイヤの材料は、銅、アルミニウムまたはＰＴＣ（正の温度係数）型材料である。アルミニウムは銅ほど導電性がないが、同じ抵抗に対しワイヤの直径がより大きくても経済的な選択となり得る。印加される回路電圧は本来安全（５０Ｖ未満）であるが、管またはシースが万が一損傷した場合の耐食性および最良な電気的安全性のため、ワイヤは、エナメルコーティングまたはアルミニウムの場合はアルマイト処理のいずれかによって理想的には自己絶縁される。代わりとして、押出プラスチックシースがヒータワイヤのまわりに装着され得る。
【０１９０】
さらに有利には、外部シース７は隣接する外部波頂部４（または環状突出部）間に空気を封入してもよい。これは、構成要素１の通路を通過するガスのさらなる断熱を補助してもよい。例えば、構成要素１にヒータ６が用いられており、かつ外部シースも使用されている場合において、ヒータが管状本体の外壁面に付属している場合、外部シース７はヒータワイヤなどのヒータ６を所定の位置に拘束するために補助し得る。
【０１９１】
構成要素１が呼吸管または呼吸管の一部である場合、（例えば、図３に示すように）それは入口９にある第１のコネクタ８および出口１１にある第２のコネクタ１０により終端され得る。このようにして、入口コネクタと出口コネクタとの間の長さに１つのガス通路のみが設けられる。
【０１９２】
他の考えられる形態において、その管状本体２を備えた構成要素１は、（例えば、図４に示すものなどの）ガス注入システムの少なくとも一部において使用するための導管の一部または追加の構成要素を形成し得る。加えて、その管状本体２を備えた構成要素１は、代わりとして、（例えば、図３に示すものなどの）呼吸回路において使用するための呼吸管の一部または追加の構成要素を形成し得る。
【０１９３】
発泡ヒータの実施形態
別の実施形態では、（例えば、図３または図４に示されるような）呼吸管の一部を形成する、または呼吸管を形成する構成要素１が設けられている。そのような構成要素１は、単一押出成形物から形成された発泡壁３を有する管状本体２を含み、その中にヒータ６を含む。
【０１９４】
発泡壁３は、使用時、管状本体２内の液体（または形成されている可能性のある凝縮物）の視覚的検出を可能にする十分な最低限の光透過性を有するものである。
【０１９５】
そのようなさらなる実施形態の詳細は上の第１の実施形態において前述したものと類似する。
【０１９６】
ヒータワイヤなどのヒータ６を含む管状本体を全体として示す図７および図８についても述べる。
【０１９７】
図７は、管状本体の内部通路内におけるヒータワイヤの配置を示し、図８は、管状本体の壁の外部表面のまわりにおけるヒータワイヤの配置を示す。
【０１９８】
特に、この実施形態において、ヒータ６は管状本体２の発泡壁３に付属している。
【０１９９】
上述したように、ヒータ６が管状本体の壁に付属され得る種々の形態があることは理解されよう。
【０２００】
さらなる選択肢において、管状本体２は、任意選択的に、外部シース７によって取り囲まれてもよい。この動作および利点については上述した。ヒータ６が同様に含まれているか否かにかかわらず外部シース７を用いてもよい。
【０２０１】
上述した両実施形態においては、呼吸管の一部を形成する、または呼吸管を形成する構成要素１を形成するそのような方法は、単一押出成形物から管状本体を押し出すステップを含む。単一押出成形物は、発泡管状本体２の壁３が、管状本体２内の液体（または形成されている可能性のある凝縮物）の視覚的検出を可能にする使用である十分な最低限の光透過性を有するものであるように形成された管状本体の発泡成形のための発泡剤を含む。
【０２０２】
１つのそのような実施形態において、方法は、形成された、押し出された管状本体２をコルゲータに送り、押し出された管状本体に沿って、交互する外部波頂部４（または環状突出部）と内部波底部５（または環状凹部）とを含む波形の外形を有する波形構造を形成するステップを含む。コルゲータは環状または螺旋の波形構造を形成してもよい。
【０２０３】
本発明の一実施形態において、呼吸管の一部を形成する、または呼吸管を形成する構成要素は、ｉ）押出成形物材料（すなわち、押出用材料）のマスターバッチを混合または提供するステップと、ｉｉ）マスターバッチを押出ダイヘッドに供給するステップと、ｉｉｉ）押出成形物を構成要素用の管状本体に押し出すステップと、に従い形成される。任意選択的に、管状本体は、さらに、波形構造を形成するためのコルゲータに供給される。
【０２０４】
そのようなマスターバッチには、（例えば、本明細書中に記載した物理的技術など他の形態の表面改質剤技術を使用してもよいことは理解されるが）含まれる化学発泡剤が提供され得るとともに、任意選択的に、化学表面改質剤が含まれてもよい。
【０２０５】
１つの例において、そのような構成要素を作製するために使用される工程は、可撓性波形管を形成するため、無端状に繋がるモールドブロックを使用して溶融管状異形材をコルゲータマシン内に押し出すステップを含む。
【０２０６】
直径３０〜４０ｍｍのスクリューおよび一般に、０．５〜１．０ｍｍの間隙を有する１２〜１６ｍｍの環状ダイヘッドを備えたＷｅｌｅｘ社の押出成形機などの押出成形機が低コストの管を迅速に生産するのに適切であることがわかっている。Ａｍｅｒｉｃａｎ  Ｋｕｈｎｅ（ドイツ）、ＡＸＯＮ  ＡＢ  Ｐｌａｓｔｉｃｓ  Ｍａｃｈｉｎｅｒｙ（スウェーデン）、ＡＭＵＴ（イタリア）、Ｂａｔｔｅｎｆｅｌｄ（ドイツおよび中国）により類似の押出機械が提供されている。
【０２０７】
Ｕｎｉｃｏｒ（登録商標）（Ｈａｓｓｆｕｒｔ、ドイツ）により製造および供給されているもの等のコルゲータが波形形成工程に適切であることがわかっている。類似の機械がＯＬＭＡＳ（Ｃａｒａｔｅ  Ｂｒｉａｎｚａ、イタリア），Ｑｉｎｇｄａｏ  ＨＵＡＳＵ  Ｍａｃｈｉｎｅｒｙ  Ｆａｂｒｉｃａｔｅ  Ｃｏ．，Ｌｔｄ（Ｑｉｎｇｄａｏ  Ｊｉａｏｚｈｏｕ  Ｃｉｔｙ、Ｐ．Ｒ．中国）またはＴｏｐ  Ｉｎｄｕｓｔｒｙ（Ｃｈｅｎｇｄｕ）Ｃｏ．，Ｌｔｄ．（Ｃｈｅｎｇｄｕ、Ｐ．Ｒ．ｏｆ  中国）により提供されている。
【０２０８】
図６は、モータ１４により駆動されるスクリューフィーダ１３内をダイヘッド１５に向かう方向Ａにおいて通過する原材料または原料（例えば、マスターバッチおよび他の材料）を受けるためのフィードホッパ１２が設けられる場合のさらなる構成を全体として示す。溶融管１６がダイヘッド１５から押し出され、任意選択的に、その後、上述した種類のコルゲータ１７に供給され得る。
【０２０９】
製造時、溶融管１６は、押出成形機のダイヘッド１５を出た後、コルゲータの回転するモールド／ブロックの列の間に送られ、例えば、図１、７および８に示されるもののような波形管に形成される。
【０２１０】
溶融管は、ブロック内の長穴および溝を介して管の外側に印加される真空および／または押出成形機金型のコアピンの中心を通る空気溝を介して管の内部に印加される圧力によって形成される。内圧が印加される場合、管に沿って端の方に気圧が逃げることを防止するため、金型のコアピンから延びた、波形構造の内部に密に装着された特殊形状の長い内部ロッドを要してもよい。
【０２１１】
管１は、一般的な寸法の呼吸管において、好ましくは、約０．３〜１ｍｍの厚さの壁３を有する（すなわち、新生児用および成人用のそれぞれにおいて直径約１０ｍｍ〜３０ｍｍおよび長さ約１〜２メートル）。
【０２１２】
本発明によるそのような構成要素は、また、端部コネクタ取付具への連結のためのプレインカフ（ｐｌａｉｎ  ｃｕｆｆ）領域を含んでもよい。
【０２１３】
同様に、本管の端部コネクタ取付具は、好ましくは、医療用チューブの使用目的に従う標準型（成形プラスチック）であり、好ましくは、摩擦嵌合、接着結合、重ね成形（ｏｖｅｒ  ｍｏｕｌｄｉｎｇ）によって、もしくは熱溶接または超音波溶接等によって永久的に固定されてもよいおよび／または気密にされてもよい。例えば、端部コネクタは内部医療テーパを組み込んでもよい。
【０２１４】
好適な種類の構成要素、または図５を参照して上述した管製造の利点の１つは、モールドブロックＢのいくつかが管状構成要素１と同時に形成される端部カフ特徴部を含み得ることである。示されているのは、コルゲータ１７内に送られる前、押出成形機の金型１５から出ている溶融押出管１６である。コルゲータ１７から出る際、形成された管状構成要素の外側のまわりにヒータワイヤ６が巻かれる。
【０２１５】
複雑さの軽減および二次製造プロセスの排除により製造速度を大幅に増加することができる。この方法は別個のカフ形成プロセスに対する改善であるが、先行技術のプレインカフの欠点は、この領域における管の壁厚の増加を可能にするためにコルゲータを減速せねばならないことである（押出成形機は同じ速度で継続される）。
【０２１６】
カフの厚みは、フープの強度およびカフアダプタ取付具との密封特性の増加を達成するため増加される。
【０２１７】
さらに、このより厚い領域における溶融高分子の熱はコルゲータブロックとの限られた接触時間の間に除去することが困難であり、これは管製造ラインの最大運転速度における重要な制約要因になるおそれがある。
【０２１８】
凝縮物蓄積試験−実施結果
試験方法
試験回路は風洞または対流洞内部に水平に配置した。洞内部を流れる空気は約０．５ｍ／ｓに設定し、室温は加湿器の最低推奨使用温度である約１８℃に維持した。管は、３７℃の水分飽和（すなわち＞９５％ＲＨ）空気を送る加湿チャンバに連結した。
【０２１９】
凝縮物を管内部に蓄積させ、１６時間で管が得た重量を蓄積された凝縮物として記録した。
【０２２０】
凝縮物試験実験結果
【０２２１】
【表２】
2020163168.tif 000004
【０２２２】
傾向は、表面改質剤の含有量を増加すると、管内部の凝縮物蓄積における表面改質の影響が増加することを示している。結果は、減少した凝縮物における発泡成形および表面改質による利点は、線形の蓄積を超えるものであることを示している。発泡剤を表面改質剤と組み合わせることによる相乗的な利点があると思われる。押出時、発泡剤は管内部に気泡を生成する。空気は、管の熱絶縁特性を大幅に向上させる非常に低い熱伝導率を有する。
【０２２３】
これらの結果から、混合物の組成のわずかな変化が性能に顕著な影響を及ぼすことは明らかである。
【０２２４】
視覚的検出試験法
０％、１％、１．２％、１．５％および１．８％、および２．０％のＭＨＹＮＡ−ＣＦ２０Ｅ発泡剤濃度を有する六（６）つのポリエチレン呼吸管のサンプル（波形、直径２２ｍｍおよび長さ１．５メートル）を、標準的な呼吸回路用ヒータワイヤおよびコネクタを使用して組み立てた。各管において、１００ｍＬの清浄な脱イオン水を注入するために精密シリンジを使用した。可搬式人工呼吸器から試験呼吸管内に空気を通した。
【０２２５】
評価すべき透明度範囲の最端を示すための基準として、０％（現行の技術水準）および２％のＭＨＹＮＡ−ＣＦ２０Ｅ（発泡剤マスターバッチ）を含有する管を使用した。例えば、０％は許容可能な水検出性を有し（基準Ａ）、２％のＭＨＹＮＡ−ＣＦ２０Ｅは水検出性を全く有しない（基準Ｂ）。
【０２２６】
様々な年齢、民族性および性別を有する十（１０）名の自発的参加者に、管の目視検査を行い、基準管と比較した管内の水の検出の容易性を以下のガイドラインに従い１〜５のスケールで評価するよう求めた。
【０２２７】
【表３】
2020163168.tif 000005
【０２２８】
十（１０）名の参加者のうち九（９）名が１．２％のＭＨＹＮＡ−ＣＦ２０Ｅを含む管を平均スコア３の適度な水検出性を有すると評価した。その一方で、１％のＭＨＹＮＡ−ＣＦ２０Ｅを含む管は平均で２を記録した。１０名の参加者のうち１０名が、この管は、基準Ａを除いた残りの試験サンプルと比較して適度なまたはより良好な水検出性を有すると判断した。調査の結果は、１．５％および１．８％のＭＨＹＮＡ−ＣＦ２０Ｅ（１０％超の発泡／空隙率）は容認できない量の発泡を有することを示し、１０名のうち１０名が、この２つの管は非常に悪い水検出性を有すると指摘した。
【０２２９】
さらなる実施結果
表３は、１００％ＬＬＤＰＥの波形管の基準サンプル（基準サンプル１、２、３を参照のこと）と、ＬＬＤＰＥに他の材料を加えた高分子材料で形成された類似の寸法の波形管との間の比較データを記載する。基準サンプル１は、１００％ＬＬＤＰＥの波形管および内部コイルヒータを有する現行の技術水準である。基準サンプル２は、内部コイルヒータおよびポリエチレンの外部シースを有する１００％ＬＬＤＰＥの管である。基準サンプル３は、外部フィラメントヒータおよび外部ポリエチレンシースを有する１００％ＬＬＤＰＥの管を有する。
【０２３０】
示されるように、種々の比較波形管の形態は、高分子材料としてのＬＬＤＰＥに加えて化学発泡剤（例１、２、３）、ＬＬＤＰＥに加えて化学表面改質剤（例４、５、６、７）およびＬＬＤＰＥに加えて化学発泡剤と化学表面改質剤との組み合わせ（例９、１０、１１、１２）を含む。
【０２３１】
例は、管の凝縮物蓄積試験結果（試験手順は表２において得られるデータと同じ）に関する種々の管の性能を示している。特に、例９〜１２の結果は、蓄積した結露の低減の点において基準サンプルを上回る顕著な向上を示している。
【０２３２】
例は、また、押出成形物内に化学表面改質剤を含むことにより表面改質が達成されたことを示している。特に、（水の）表面特性接触角は、基準サンプルの約９７°から、表面改質剤を使用した例では約３３°に変化した。
【０２３３】
さらに、例９〜１２の凝縮物蓄積試験結果において予期せぬ向上があった。壁の発泡成形および壁表面の表面特性の変化により、凝縮物蓄積結果が基準サンプルに比べ向上した。これら向上は、発泡成形または表面改質のいずれか単独によりもたらされると思われる利点を直線的に蓄積したものではない。このような性能の非線形の蓄積はこのような組み合わせの相乗的な利点を示している。
【０２３４】
特定の向上は、発泡成形（したがって、管内を通過する暖かいガスからの熱損失に対する熱抵抗）による管壁内の空隙率の増加（すなわち、約５．５％〜７．５％の空隙率）と、管内における壁表面上の液体の表面特性接触角の低下によりおそらくは強化される管内の凝縮物または他の液体蓄積物の再蒸発率との組み合わせから生じるものと考えられる。
【０２３５】
押し出された１００％ＬＬＤＰＥ管に外部シースを加えると、凝縮物蓄積が２６．７％減少した。さらに、１００％ＬＬＤＰＥ管の外部フィラメント加熱により凝縮物蓄積が５３．１％減少した。発泡されていない表面改質した管を外部加熱すると凝縮物減少の利点は全く得られなかった。その一方で、発泡導管（表面改質なし）を外部加熱するとさらに約４．６％の凝縮物減少を生じた。
【０２３６】
しかしながら、発泡および表面改質呼吸管の外部フィラメント加熱は、同様に外部加熱された１００％ＬＬＤＰＥ管と比較して２７．８％少ない凝縮物を生じた。これは、加湿呼吸回路内の凝縮物蓄積の最小化における発泡成形と表面改質との組み合わせの相乗的な利点をさらに実証するものである。
【０２３７】
【表４】
2020163168.tif 000006
【０２３８】
【表５】
2020163168.tif 000007
【０２３９】
【表６】
2020163168.tif 000008
【０２４０】
ガス注入システムの構成要素
低侵襲手術（ＭＩＳ）または鍵穴手術とも呼ばれる腹腔鏡下手術は、腹部の手術が、従来の外科的処置において必要なより大きな切開と比べると小さな切開（通常０．５〜１．５ｃｍ）を通して実施される最新の外科的手技である。腹腔鏡下手術は腹腔または骨盤腔内の手術を含む。
【０２４１】
例えば、腹部手術では、通常、作業および観察空間を形成するために腹部に二酸化炭素ガスを注入する。使用されるガスは、一般に、人体では一般的であり、かつ組織に吸収され得るとともに呼吸器系により除去され得るＣＯ2である。また、ＣＯ2は不燃性であり、腹腔鏡下処置では一般に電気外科手術デバイスが使用されるため、これは重要である。これらデバイスを使用すると、組織の焼灼により作業空間内に外科煙を形成する傾向にある。外科医が自身が行っていることを見ることができるように、ならびにこの潜在的に有害な材料が手術後体腔内にとどまらないように煙を手術部位から除去するため、排気アームまたはリムを使用する煙排出システムが一般に使用されている。
【０２４２】
典型的な煙排出システムは、一般に、手術部位内への挿入を補助するため端部にトロカールおよびカニューレを含む。煙は、ガス注入された腹部領域から排出リムを通じて出る。排出リムは、電気焼灼が行われる部位の近くにおいて排気が行われるように腹腔鏡下機器の端部に取り付けてもよい。通常、ガスおよび体腔からの煙はフィルタを通じて濾過され、粒子状物質が大気に排出される前にそれらは除去される。
【０２４３】
腹腔鏡下手術においては乾燥ガスを使用することが一般的となっている。しかしながら、ＣＯ2または他のガス注入用ガスをそれらが腹腔内に送られる前に加湿することも望ましい。これは、患者の内部臓器の「乾燥」を防止することができ、かつ手術からの回復に必要な時間の量を低減することができる。
【０２４４】
図４は、本発明とともに使用され得るような典型的なガス注入システム２００を示す。ガス注入システム２００は、患者の腹腔または腹膜腔内に送達するための、大気圧を超える圧力の加湿されたガス注入用ガスの流れを生成するガス注入器２０１を含む。ガス注入システム２００は、ヒータ底部２０４および加湿器チャンバ２０３を含み、使用時、ヒータ底部がチャンバに熱を供給するようにチャンバ２０３はヒータ底部２０４に接触している。ガス注入用ガスは適切な水分のレベルに加湿されるようチャンバ２０３内に送られる。システムは、加湿チャンバ２０３と、腹膜腔または手術部位との間を連結する送達導管を含む。導管は第１の端部と第２の端部とを有し、第１の端部は加湿チャンバ２０３の出口に連結されており、チャンバ２０３から加湿ガスを受け取る。導管の第２の端部は手術部位または腹膜腔内に配置され、手術部位または腹膜腔にガス注入し、拡張するため、加湿されたガス注入用ガスがチャンバ２０３から導管を通じて手術部位に送られる。導管は本発明による表の構成要素１により形成することができ、その利点はそのような外科的用途に提供される。システムは、また、ガスに供給される湿度の量を、ヒータ底部２０４に供給される電力を制御することにより調整する制御器（図示せず）を含む。
【０２４５】
煙排出システム２０２は、排出または排気リム２０５と、排出アセンブリ２０７と、フィルタ２０６と、を含む。排気リム２０５は、フィルタ２０６と排出アセンブリ２０７との間を連結し、使用時、手術部位に、またはその近傍に配置される。排気リム２０５は２つの開口端部を有する自己支持型導管または管（導管は崩壊ことなく自重を支持することが可能である）である。手術部位端部および出口端部は本明細書に記載するような通気性のある発泡材料で作製される。
【０２４６】
飽和したガスが腹腔から出されると、ガスは、より低温の、排気リムの壁に接触する。排気リムは、通常長さ約１メートルまたはその近辺であり、ガス中の水分は排気リムまたは排気導管の壁上に凝縮する傾向にある。水蒸気もまたフィルタ上に凝縮することがあり、これによりフィルタが飽和するおそれがあり、フィルタが閉塞する原因となる。これは、場合によっては、背圧の増加を引き起こし、システムの煙を払う能力を妨げる。
【０２４７】
呼吸管を参照して上述した本医療用チューブは、また、外科的加湿システムの送達リムにおける用途に適している。特に、本発明の医療用チューブは煙排出システムの排出または排気リムにおける使用に適している。管の性能利点は、本発明の管の水滴降下性能（すなわちより少ない結露形成）が向上することによるものである。
【０２４８】
他の用途
本発明が他の医療用途に特に適していることが分かることも想定される。例えば、結露の形成を低減するために加湿ガスを搬送する管を一貫して加熱する、または加熱を維持する用途では、本発明の低コストおよび効率的な加熱から利益を得られよう。
【０２４９】
前述の本発明についての説明はその好適な形態を含む。本発明の範囲から逸脱することなくそれに改良を加えることができる。
【０２５０】
本発明に関係する当業者には、添付の先の特許請求の範囲に定義される本発明の範囲から逸脱することなく構造の多くの変形ならびに本発明の多様な実施形態および適用範囲が示唆されよう。本開示および本明細書中の記載は純粋に例証的なものであり、いかようにも限定されるものではない。
【図１】
2020163168.tif 000009
【図２Ａ】
2020163168.tif 000010
【図２Ｂ】
2020163168.tif 000011
【図３】
2020163168.tif 000012
【図４】
2020163168.tif 000013
【図５】
2020163168.tif 000014
【図６】
2020163168.tif 000015
【図７】
2020163168.tif 000016
【図８】
2020163168.tif 000017
【手続補正書】
【提出日】令和2年6月23日(2020.6.23)
【手続補正１】
【補正対象書類名】特許請求の範囲
【補正対象項目名】全文
【補正方法】変更
【補正の内容】
【特許請求の範囲】
【請求項１】
呼吸管の一部を形成する、または前記呼吸管を形成する構成要素であって、
発泡壁を有する管状本体を含み、
前記発泡壁が、使用時、前記管状本体内の液体（または形成されている可能性のある凝縮物）の視覚的検出を可能にするよう十分な最低限の光透過性を有する、構成要素。
【外国語明細書】
2020163168000001.pdf